(57)【要約】【課題】  電話しながらインターネット接続するマルチセッション技術において、シングルコールへの変更又は現在通話設定されている呼数以下の呼数への変更の必要が生じた場合に、加入者が通話設定された複数呼の中から所望の呼を選択できるようにする。【解決手段】  複数の呼を同時に設定可能なマルチコール端末１０を、上記複数の呼の増減に関する特別メッセージを基地局側装置から受信して当該特別メッセージに含まれる呼数変更情報を抽出しうる受信手段１０ａと、受信手段１０ａにて抽出された呼数変更情報により、通話中の複数の呼を視覚的及び聴覚的に表示しうる表示手段１０ｂと、表示手段１０ｂにより表示された複数の呼の中で加入者が接続希望呼を選択すべく設けられた入力手段１０ｃと、入力手段１０ｃにより選択された接続希望呼に関する情報を基地局側装置に対して送信しうる送信手段１０ｄとをそなえて構成する。【選択図】  図２
2005328573.tif 000002
【特許請求の範囲】
【請求項１】
基地局側装置との間で複数の呼を同時に設定可能なマルチコール端末であって、
上記複数の呼の増減に関する特別メッセージを該基地局側装置から受信して当該特別メッセージに含まれる呼数変更情報を抽出しうる受信手段と、
該受信手段にて抽出された該呼数変更情報により、通話中の複数の呼を視覚的及び聴覚的に表示しうる表示手段と、
該表示手段により表示された該複数の呼の中で加入者が接続希望呼を選択すべく設けられた入力手段と、
該入力手段により選択された該接続希望呼に関する情報を該基地局側装置に対して送信しうる送信手段とをそなえたことを特徴とする、マルチコール端末。
【請求項２】
基地局側装置との間で複数の呼を同時に設定可能であって表示手段を有するマルチコール端末に用いられる回路であって、
上記複数の呼の増減に関する特別メッセージを該基地局側装置から受信して当該特別メッセージに含まれる呼数変更情報を抽出する受信手段と、
該受信手段にて抽出された該呼数変更情報により、通話中の複数の呼を視覚的及び聴覚的に該表示手段に表示させるための表示制御を行なう表示制御手段と、
該表示制御手段の表示制御により該表示手段に表示された該複数の呼の中から選択された接続希望呼に関する情報が入力される入力手段と、
該入力手段により入力された該接続希望呼に関する情報を該基地局側装置に対して送信する送信手段とをそなえたことを特徴とする、マルチコール端末用回路。
【請求項３】
表示手段を有するとともに、基地局側装置との間で複数の呼を同時に設定可能なマルチコール端末において、
上記複数の呼の増減に関する特別メッセージを該基地局側装置から受信して当該特別メッセージに含まれる呼数変更情報を抽出し、
抽出した該呼数変更情報により、通話中の複数の呼を視覚的及び聴覚的に該表示手段に表示し、
該表示手段に表示された該複数の呼の中から選択された接続希望呼に関する情報が入力されると、当該接続希望呼に関する情報を該基地局側装置に対して送信することを特徴とする、マルチコール端末によるマルチコール通話呼数変更方法。
【発明の詳細な説明】
【技術分野】
【０００１】
本発明は、マルチコールが可能なマルチコール端末，マルチコール端末用回路及びマルチコール端末によるマルチコール通話呼数変更方法に関し、特に、次世代網と既存網とのインタワークにおけるマルチセッション制御方式に用いて好適な技術に関する。
【背景技術】
【０００２】
現在の固定網及び移動体システムでは、音声通話やパケット通信等の１種類のサービスを実現するためには、基本的に１台の携帯端末が１回線を占有している。
図２８は移動体システムの構成図である。この図２８に示す移動体システム９９は、携帯端末等の移動局（ＭＳ：Mobile Station）１００と、基地局（ＢＳＳ：Base Station）１０１ａ，１０１ｂと、交換局１０２ａ，１０２ｂと、ホーム・ロケーション・レジスタ（Home Location Register，以下ＨＬＲと称する）１０３と、公衆回線（Public Switched Telephone Network）１０４ａと、インターネット網１０４ｂとをそなえて構成されている。
【０００３】
ここで、交換局１０２ａ，１０２ｂは、それぞれ、移動交換局（ＭＳＣ：Mobile Switching Center）とも称され、ビジター・ロケーション・レジスタ（Visitor Location Register，以下ＶＬＲと称する）を伴設し、ＭＳＣ／ＶＬＲと表示されている。このＶＬＲとは一時的に生成される加入者データを保持するものである。
さらに、ＨＬＲ１０３は、主として移動局１００の電話番号のほか、位置登録や認証等を行なうための加入者データを保持管理するものである。そして、これらが協同することにより、移動局１００が網のどの場所にいても位置登録を行なえ、また、網側も着信がある移動局１００を効率よく探し出せるようになる。
【０００４】
これにより、移動局１００は、基地局１０１ｂ，公衆回線１０４ａをそれぞれ介して、音声通話を行なえ、また、移動局１００は、基地局１０１ｂ，インターネット網１０４ｂをそれぞれ介して、パケット通信を行なえるようになっている。
これに対して、次世代の通信システムとして、第三世代移動体システムであるＩＭＴ−２０００規格には、１台の携帯端末を用いて同時に複数の通話設定ができ、また、複数の呼を同時に接続するマルチコールと、一つの呼で複数の通信リンクを設定するマルチコネクションとの機能が盛り込まれている。このＩＭＴ−２０００規格により、加入者は、電話しながらテキストデータを送受信したり、電子メールを送受信しながら別の人に動画像を送信することが可能となる。なお、マルチセッションは、音声データをＩＰパケットに変換してインターネット網にて送受信するＶＯＩＰ（Voice Over IP）を含む。
【０００５】
ここで、１台の携帯端末が複数の呼と接続する方法の一つに、キャッチホン（サービス名）がよく知られているが、マルチコールとは異なる。図２９と図３０とを用いて、マルチセッション（マルチコール）とキャッチホンとの違いを説明する。
図２９はキャッチホンの接続シーケンス例を示す図であり、加入者，基地局制御装置，交換局，接続先１，２との間における状態（Ｓ１，Ｓ４，Ｓ５，Ｓ７，Ｓ８）及びメッセージ（Ｓ２，Ｓ３，Ｓ６）が表示されている。まず、加入者と接続先１とが通話中（Ｓ１を付したもの）に、接続先２が加入者に対して発呼し（着信要求メッセージＳ２）、その後、加入者は交換局に対して、接続先１についての保留要求メッセージＳ３を送信する。これにより、接続先１は、保留となる（Ｓ４と付したもの）一方、加入者は接続先２と通話中（Ｓ５を付したもの）となる。また、加入者は交換局に対して、メッセージＳ６を送信することにより、接続先２が保留となる（Ｓ７と付したもの）一方、加入者は接続先１と通話中（Ｓ８を付したもの）となる。
【０００６】
このように、キャッチホンは、交換局において、呼が保留されるので、携帯端末と交換局との間に設定できる回線呼数は１となる。
図３０はマルチセッションの接続シーケンス例を示す図であり、状態（Ｔ１，Ｔ３，Ｔ４）及びメッセージ（Ｔ２）とが表示されている。この図３０に示す加入者と接続先１とが通話中（Ｔ１を付したもの）に、接続先２が加入者に対して発呼する（着信要求メッセージＴ２）と、加入者は接続先１との間で通話しているまま（Ｔ３と付したもの）、接続先２とも同時に通話できるのである（Ｔ４を付したもの）。
【０００７】
このように、携帯端末と交換局との間に設定できる回線呼数は複数となる。
また、第三世代移動体システムにおいては、ＩＭＴ−２０００綱と既存網との間のハンドオーバーが必須機能として要求されている。このハンドオーバーとは、例えば自動車走行中に、セルが代わる毎に通話中の回線を切り換えていくことをいう。ＩＭＴ−２０００規格を採用する網側において、通話中の複数の呼をハンドオーバー時にどのように扱うかは重大である。
【０００８】
なお、特開平１１−２６１７１７号公報（以下、特許文献１と称する。）には、情報通信システム、特に、遠隔地にある現場において携帯端末に取り込んだ現場の状況（写真データ）を携帯端末等の通信機器を介して事務所等に送信する際の送信作業効率の改善に関する技術が記載されている。
【特許文献１】特開平１１−２６１７１７号公報
【発明の開示】
【発明が解決しようとする課題】
【０００９】
しかしながら、従来技術では、マルチコール状態のときに、ハンドオーバー発生や網の輻輳状態の変動により、シングルコールのみしか通話継続が不可能になった場合は、網側が通話継続呼を任意に選択し、他の呼については切断していたので、加入者主体による通話選択の方法はなかった。
従って、交換局は、既存のシングルコールしかサポートしていないと、輻輳状態において新規発信を受信した場合に、その新規発信のプライオリティよりも低いプライオリティを有する呼があればその呼を切断し、また、新規発信された呼のうちで高プライオリティを有するものを優先的に接続するが、低プライオリティの呼がない場合には、交換局は、新規発信された呼を拒否するしかないという課題がある。
【００１０】
また、従来、警察用の１１０番や消防・救急用の１１９番のように、加入者毎にプライオリティは管理されていたが、一加入者が通話する複数呼のそれぞれについて、プライオリティ管理は行なわれていなかったという課題がある。そのうえ、マルチコールというサービスが未だあまり普及しておらず、かかる点については、議論されていなかった。
加えて、上記の特許文献１に記載された技術は、携帯端末に２台の通信機器、例えば携帯端末とＰＨＳ（Personal Handy-phone System）とを接続して、双方の通信機器を同時に使用できるようにしたものであり、また、２回線を同時に使用して同一の事務所に送信するものである。従って、マルチコールをサポートするようにはなっておらず、減少した呼数を元に戻す仕組みは設けられていない。
【００１１】
本発明は、このような課題に鑑み創案されたもので、加入者が、電話しながらインターネット接続するような、音声及びパケットのマルチコール又はマルチセッション状態の通信において、環境変化によって、シングルコールに変更するか又は現在通話設定されている呼数以下の呼数に変更する必要が生じた場合に、加入者に対してその旨を通知し呼数の変更を促したり、一加入者が通話する複数呼のそれぞれについて、相対プライオリティを管理することにより、加入者が所望の呼を選択でき、これにより、マルチコールサービスを広く普及させることができるような、マルチコール端末，マルチコール端末用回路及びマルチコール端末によるマルチコール通話呼数変更方法を提供することを目的とする。
【課題を解決するための手段】
【００１２】
このため、本発明のマルチコール端末は、基地局側装置との間で複数の呼を同時に設定可能なマルチコール端末であって、上記複数の呼の増減に関する特別メッセージを該基地局側装置から受信して当該特別メッセージに含まれる呼数変更情報を抽出しうる受信手段と、該受信手段にて抽出された該呼数変更情報により、通話中の複数の呼を視覚的及び聴覚的に表示しうる表示手段と、該表示手段により表示された該複数の呼の中で加入者が接続希望呼を選択すべく設けられた入力手段と、該入力手段により選択された該接続希望呼に関する情報を該基地局側装置に対して送信しうる送信手段とをそなえたことを特徴としている。
【００１３】
また、本発明のマルチコール端末用回路は、基地局側装置との間で複数の呼を同時に設定可能であって表示手段を有するマルチコール端末に用いられる回路であって、上記複数の呼の増減に関する特別メッセージを該基地局側装置から受信して当該特別メッセージに含まれる呼数変更情報を抽出する受信手段と、該受信手段にて抽出された該呼数変更情報により、通話中の複数の呼を視覚的及び聴覚的に該表示手段に表示させるための表示制御を行なう表示制御手段と、該表示制御手段の表示制御により該表示手段に表示された該複数の呼の中から選択された接続希望呼に関する情報が入力される入力手段と、該入力手段により入力された該接続希望呼に関する情報を該基地局側装置に対して送信する送信手段とをそなえたことを特徴としている。
【００１４】
さらに、本発明のマルチコール端末によるマルチコール通話呼数変更方法は、表示手段を有するとともに、基地局側装置との間で複数の呼を同時に設定可能なマルチコール端末において、上記複数の呼の増減に関する特別メッセージを該基地局側装置から受信して当該特別メッセージに含まれる呼数変更情報を抽出し、抽出した該呼数変更情報により、通話中の複数の呼を視覚的及び聴覚的に該表示手段に表示し、該表示手段に表示された該複数の呼の中から選択された接続希望呼に関する情報が入力されると、当該接続希望呼に関する情報を該基地局側装置に対して送信することを特徴としている。
【００１５】
なお、本発明に関連する交換局装置は、複数の呼を同時に通話設定できる第１マルチコール端末からの発呼か、又は、一個の呼を通話設定できるシングルコール端末からの発呼かを判別する判別手段と、ハンドオーバー発生と網の輻輳状態の変動とに起因する事象を検出しうる事象検出手段と、判別手段にて判別された第１マルチコール端末が通話中に、事象検出手段にて事象が検出されると、第１マルチコール端末の通話呼数を変更しうる呼数変更手段とをそなえて構成されたことを特徴としている。
【００１６】
また、上記の呼数変更手段が、基地局を制御する基地局制御装置と第１マルチコール端末とに対して複数の呼の増加・減少に関する呼数変更情報を挿入した特別メッセージを通知しうる特別メッセージ通知手段と、特別メッセージ通知手段により通知された複数の呼の中で第１マルチコール端末が選択した継続希望呼に関する応答を受信しうる応答受信手段と、応答受信手段が受信した継続希望呼を接続するとともに、複数の呼のうち第１マルチコール端末が選択しない接続非希望呼を切断する再ハンドオーバー手段とをそなえて構成されてもよく、通話中の複数の呼の中から切断する切断呼を所定の条件に基づいて選択する呼選択手段と、呼選択手段が選択した切断呼に対応する第１マルチコール端末に対して切断メッセージを通知する切断通知手段と、切断通知手段により通知された第１マルチコール端末が選択した接続希望呼に関する応答を受信しうる応答受信手段と、応答受信手段が受信した接続希望呼を継続接続するとともに、複数の呼のうち第１マルチコール端末が選択しない接続非希望呼を切断する再ハンドオーバー手段とをそなえて構成されてもよい。
【００１７】
そして、上記の呼選択手段が、切断呼のそれぞれに、通話中の呼の優先度を表すプライオリティを付与してプライオリティを保持するプライオリティ保持手段と、事象が緩和した場合はプライオリティ保持手段に保持されたプライオリティに基づいて切断呼を出力する出力手段とをそなえて構成することができ、切断呼を、切断メッセージ内の所定領域に含まれる呼のプライオリティに関する情報に基づいて選択するように構成したり、切断呼を、ホーム・ロケーション・レジスタからビジター・ロケーション・レジスタに送信された加入者データに含まれる情報に基づいて選択するように構成してもよい。
【００１８】
また、上記の呼選択手段が、切断呼を、加入者単位に設けられた選択アルゴリズムに基づいて選択するように構成してもよく、選択アルゴリズムとして、通話中の複数の呼の中で接続した順序に従ったプライオリティによって継続するように構成してもよく、選択アルゴリズムとして、伝送信号の等級を表す品質サービス値に基づいて、呼を選択するように構成してもよい。
【００１９】
加えて、上記の特別メッセージ通知手段が、第１マルチコール端末の警告音を段階的に変更すべく、呼数変更情報を段階的に設けるように構成してもよい。
また、上記の基地局制御装置は、周辺の基地局のそれぞれについて、同時に通話設定できる呼数を保持する保持手段と、少なくともハンドオーバーの発生を検出し保持手段に保持された呼数に基づいて、マルチコール対応が不可であることを検出しうる検出手段と、検出手段が検出したハンドオーバーを発呼要求したマルチコール端末に対して、継続可能な複数の呼の数に関する特別メッセージを送信する通知手段と、通知手段により通知された複数の呼のうちマルチコール端末が送信した接続希望呼を有する応答を受信しうる応答受信手段と、応答受信手段が受信した接続希望呼を交換局装置に対して送信する送信手段とをそなえて構成されたことを特徴としている。
【００２０】
そして、本発明に関連するマルチコール通話呼数変更方法は、無線信号を送受信する第１マルチコール端末と、基地局を制御する基地局制御装置と、第１マルチコール端末と基地局制御装置とのそれぞれとの間で通話設定をすべく複数の呼に関する情報を送受信する交換局装置とをそなえた交換機システムにおけるマルチコール通話呼数変更方法であって、交換局が、ハンドオーバー発生と網の輻輳状態の変動とに起因する事象を検出する事象検出ステップと、事象検出ステップにて事象が検出されると、交換局が、ハンドオーバーにより接続される接続先交換局に対して複数の呼の増加・減少に関する呼数変更情報を挿入して特別メッセージを通知する特別メッセージ通知ステップと、特別メッセージ通知ステップにて通知された複数の呼の中で第１マルチコール端末が選択した継続希望呼に関する応答を交換局が受信する応答受信ステップと、応答受信ステップにて受信した継続希望呼を交換局が接続するとともに、複数の呼のうち第１マルチコール端末が選択しない接続非希望呼を切断する再ハンドオーバーステップとをそなえて構成されたことを特徴としている。
【００２１】
また、上記の特別メッセージ通知ステップが、第１マルチコール端末以外の第２マルチコール端末が送信した発信要求を受信すると、第２マルチコール端末に対して、特別メッセージに、複数の呼の数を減少させる呼数減少情報を挿入するように構成されるとともに、再ハンドオーバーステップが、特別メッセージ通知ステップにおける切断により解放された回線を用いて、発信要求に対して応答を送信するように構成することもできる。
【００２２】
さらに、上記の特別メッセージ通知ステップが、交換局がハンドオーバーにより接続される接続先基地局装置に関する情報を基地局制御装置に対して通知する基地局制御装置通知ステップと、基地局制御装置通知ステップにて通知された接続先基地局装置から送信された継続可能な呼の数に関する呼変更情報を交換局が受信する呼変更情報受信ステップと、呼変更情報受信ステップが受信した呼変更情報を第１マルチコール端末に対して送信する送信ステップとをそなえて構成されてもよい。
【００２３】
そして、上記のマルチコール通話呼数変更方法は、無線信号を送受信する第１マルチコール端末と、基地局を制御する基地局制御装置と、第１マルチコール端末と基地局制御装置とのそれぞれとの間で通話設定をすべく複数の呼に関する情報を送受信する交換局装置とをそなえた交換機システムにおけるマルチコール通話呼数変更方法であって、交換局装置がハンドオーバー要求を、ハンドオーバーにより接続される接続先交換局装置に対して送信する第１送信ステップと、第１送信ステップにて送信された接続先交換局装置が自分自身の能力と輻輳状態とに基づいた通話可能な呼数を含むメッセージを交換局装置に対して送信する第２送信ステップと、第２送信ステップにて送信された通話可能な呼数が現在通話中の呼数よりも多いと、交換局装置が第１マルチコール端末に対して通話可能を示すメッセージを通知する呼数通知ステップとをそなえて構成されたことを特徴としている。
【００２４】
また、上記の呼数通知ステップが、呼数を減少された呼に対応する第１マルチコール端末に対して再設定を通知するように構成されてもよく、ハンドオーバー発生と網の輻輳状態の変動とに起因する事象が発生したときの通話設定状態を維持したままでの通話切り換えができないことを通知するように構成されてもよい。
【発明の効果】
【００２５】
本発明によれば、以下の少なくともいずれか１つの効果ないし利点が得られる。
上記の交換局装置によれば、複数の呼を同時に通話設定できる第１マルチコール端末からの発呼か、又は、一個の呼を通話設定できるシングルコール端末からの発呼かを判別する判別手段と、ハンドオーバー発生と網の輻輳状態の変動とに起因する事象を検出しうる事象検出手段と、判別手段にて判別された第１マルチコール端末が通話中に、事象検出手段にて事象が検出されると、第１マルチコール端末の通話呼数を変更しうる呼数変更手段とをそなえて構成されているので、加入者が電話とインターネット接続とを同時にしているときに、ハンドオーバー発生や網の輻輳状態の変動によって、シングルコール又は現在通話中の呼数以下でしか通話が継続できなくなっても、加入者が望む通信を継続できる利点がある。
【００２６】
また、呼数変更手段が、通話中の複数の呼の中から切断する切断呼を選択する呼選択手段をそなえて構成されてもよく、このようにすれば、加入者主体による通話選択ができ、一加入者についての複数呼のプライオリティが管理されるので、マルチコールサービスを広く普及させることができる利点がある。
さらに、上記の基地局制御装置によれば、周辺の基地局のそれぞれについて、同時に通話設定できる呼数を保持する保持手段と、少なくともハンドオーバーの発生を検出し保持手段に保持された呼数に基づいて、マルチコール対応が不可であることを検出しうる検出手段と、検出手段が検出したハンドオーバーを発呼要求したマルチコール端末に対して、継続可能な複数の呼の数に関する特別メッセージを送信する通知手段と、通知手段により通知された複数の呼のうちマルチコール端末が送信した接続希望呼を有する応答を受信しうる応答受信手段と、応答受信手段が受信した接続希望呼を交換局装置に対して送信する送信手段とをそなえて構成されているので、交換局が輻輳状態において、低プライオリティの呼がなく、切断できる呼がない場合でも、新規発信された呼を接続できるようになり、空いた回線が新たな加入者に割り当てられるので、加入者へのサービスの質が向上する利点がある。
【００２７】
そして、上記のマルチコール端末（マルチコール端末用回路）によれば、複数の呼の増加・減少に関する特別メッセージを受信して呼数変更情報を抽出しうる受信手段と、受信手段にて抽出された呼数変更情報により、通話中の複数の呼を視覚的及び聴覚的に表示しうる表示手段と、表示手段により表示された複数の呼の中で加入者が接続希望呼を選択すべく設けられた入力手段と、入力手段により選択された接続希望呼に関する情報を基地局に対して送信しうる送信手段とをそなえて構成されているので、やはり、加入者がマルチコール時に、ハンドオーバー発生や網の輻輳状態の変動によって、シングルコール又は現在通話中の呼数以下でしか通話が継続できなくなっても、加入者が望む通信を継続できる利点がある。
【００２８】
加えて、上記のマルチコール通話呼数変更方法によれば、無線信号を送受信する第１マルチコール端末と、基地局を制御する基地局制御装置と、第１マルチコール端末と基地局制御装置とのそれぞれとの間で通話設定をすべく複数の呼に関する情報を送受信する交換局装置とをそなえた交換機システムにおけるマルチコール通話呼数変更方法であって、交換局が、ハンドオーバー発生と網の輻輳状態の変動とに起因する事象を検出する事象検出ステップと、事象検出ステップにて事象が検出されると、交換局が、ハンドオーバーにより接続される接続先交換局に対して複数の呼の増加・減少に関する呼数変更情報を挿入して特別メッセージを通知する特別メッセージ通知ステップと、特別メッセージ通知ステップにて通知された複数の呼の中で第１マルチコール端末が選択した継続希望呼に関する応答を交換局が受信する応答受信ステップと、応答受信ステップにて受信した継続希望呼を交換局が接続するとともに、複数の呼のうち第１マルチコール端末が選択しない接続非希望呼を切断する再ハンドオーバーステップとをそなえて構成されているので、加入者がマルチコール時に、ハンドオーバーや網の輻輳の発生によって、シングルコール又は現在通話中の呼数以下でしか通話が継続できなくなっても、加入者が望む通信を継続できる利点がある。
【００２９】
また、特別メッセージ通知ステップが、第１マルチコール端末以外の第２マルチコール端末が送信した発信要求を受信すると、第２マルチコール端末に対して、特別メッセージに、複数の呼の数を減少させる呼数減少情報を挿入するように構成されているので、加入者主体の通話選択ができ、一加入者についての複数呼のプライオリティが管理されるので、マルチコールサービスを広く普及させることができる利点がある。
【００３０】
そして、上記のマルチコール通話呼数変更方法によれば、交換局装置がハンドオーバー要求を、ハンドオーバーにより接続される接続先交換局装置に対して送信する第１送信ステップと、第１送信ステップにて送信された接続先交換局装置が自分自身の能力と輻輳状態とに基づいた通話可能な呼数を含むメッセージを交換局装置に対して送信する第２送信ステップと、第２送信ステップにて送信された通話可能な呼数が現在通話中の呼数よりも多いと、交換局装置が第１マルチコール端末に対して通話可能を示すメッセージを通知する呼数通知ステップとをそなえて構成されているので、既存のメッセージフォーマットを変更せずに、呼のプライオリティ情報を送受信できるので、汎用性に優れ、拡張性が向上する利点がある。
【００３１】
また、呼数通知ステップが、呼数を減少された呼に対応する第１マルチコール端末に対して再設定を通知するように構成することもでき、このようにすれば、パケット通信において、伝送速度が小さくなっても、加入者は、通話設定状態を維持したままでの通話切り換えができないことを通知されるので、不測の通信事を回避できる利点がある。
【発明を実施するための最良の形態】
【００３２】
以下、図面を参照して本発明の実施の形態を説明する。
（Ａ）本発明の第１実施形態の説明
図１は本発明の第１実施形態に係る移動体システム（交換機システム）の構成図である。この図１に示す移動体システム９は、ＩＭＴ−２０００規格に基づく移動体システムであって、移動局１０と、基地局（ＢＳＳ）１１ａ〜１１ｃと、交換局（交換局装置）１２ａ〜１２ｃと、ＶＬＲ１０６ａ〜１０６ｃと、ＨＬＲ１３と、パケット処理装置（ＳＧＳＮ：Serving General Packet Radio Service Support Node）１０７ａ〜１０７ｃとをそなえて構成されている。
【００３３】
また、この図１に示す移動体システム９は、関門交換局（ＧＭＳＣ：Gateway MSC）１０８及び関門パケット処理装置（ＧＧＳＮ：Gateway GSN）１０９を介して、公衆回線（ＰＳＴＮ：Public Switched Telephone Network）１０４ａとインターネット網１０４ｂとに接続されている。
ここで、公衆回線１０４ａは例えば携帯電話網であり、接続先の固定電話等である固定端末１０５を収容している。また、インターネット網１０４ｂは、多数のインターネットサービスプロバイダ（ＩＳＰ:Internet Service Provider：図示省略）を有する。そして、関門交換局１０８は、ＰＳＴＮ１０４ａやＩＳＤＮ網（図示省略）に接続する箇所に位置するゲート交換局であって、回線呼を交換するものであり、さらに、関門パケット処理装置１０９は、ＩＳＰ１０４ｂに接続する箇所に位置する関門パケット処理装置であって、パケットを交換するものである。
【００３４】
また、ＩＭＴ−２０００規格においては、専用のパケットアクセスプロシージャーを利用して接続され、加入者は、自分のＰＣ（パーソナルコンピュータ：図示省略）にて、所望の相手に接続されるようになっている。具体的には、加入者は、ブラウザソフトを起動させて、そして、例えばＵＲＬを指定するだけで、自動的に、そのＰＣにおいてパケットアクセスプロシージャーが起動され、接続されるのである。従って、加入者は、ＬＡＮ（Local Area Network）接続のＰＣと同様に、直接、相手先と接続できるようになる。
【００３５】
換言すれば、加入者がダイアルアップ接続をする場合は、加入者が発したデータは回線呼として、交換局１２ａ〜１２ｃを経由して公衆回線１０４ａに出力する。一方、ＩＭＴ−２０００規格によると、加入者が発したパケットデータは、ＳＧＳＮ１０７ａ〜１０７ｃを経由してＩＳＰに出力されるのである。なお、以下の説明においては、これらの公衆回線１０４ａ，インターネット網１０４ｂを、単に網と称することがある。
【００３６】
これにより、移動体システム９から出力される回線呼は、関門交換局１０８を経由して、公衆回線１０４ａに送出されるとともに、移動体システム９から出力されるパケットは、関門パケット処理装置１０９を経由して、インターネット網１０４ｂに送出される。
また、固定端末１０５が発呼した回線呼は、公衆回線１０４ａ，関門交換局１０８をそれぞれ介して、この移動体システム９に送出され、電子メール等は、インターネット網１０４ｂ，関門パケット処理装置１０９をそれぞれ介して、移動体システム９に送出されるのである。
【００３７】
そして、図１に示す移動局１０は、マルチコールが可能な携帯端末であって、移動により、基地局１１ａ〜１１ｃの間をハンドオーバーしながら、通話を行なうものである。ここで、通話とは、電話のほか、ＦＡＸ送受信や、ダイアルアップ等によるインターネット通信を含み、また、この移動局１０を、マルチコール端末と称することがある。
図２は上記の第１実施形態に係る移動局１０の機能ブロック図であるが、この図２に示す移動局１０は、受信手段１０ａと、表示手段１０ｂと、入力手段１０ｃと、送信手段１０ｄとをそなえて構成されている。  ここで、受信手段１０ａは、複数の呼の増加・減少に関する特別メッセージを受信して呼数変更情報を抽出しうるものであり、この機能は、受信回路（図示省略）とその受信回路にて復調された信号から所望のデータを抽出するために、ＣＰＵ（Central Processing Unit）及びＲＡＭ（Random Access Memory）等が協同したソフトウェア等により実現される。
【００３８】
この特別メッセージ（特別信号メッセージとも称する）とは、交換局１２ｂ又は交換局１２ｃが移動局１０に対して通知する通知用のメッセージであって、交換局１２ｂ又は交換局１２ｃがハンドオーバーを実行する前に、継続可能な呼数を挿入して通知するものである。
そして、表示手段１０ｂは、受信手段１０ａにて抽出された呼数変更情報により、通話中の複数の呼をビジュアル（視覚的）及びオーディブル（聴覚的）に表示しうるものであり、このビジュアル機能は、例えばディスプレイにより実現され、オーディブル機能は、例えばリンガにより実現される。つまり、表示手段１０ｂの表示制御は、表示制御手段としての上記ＣＰＵによって行なわれる。
【００３９】
また、入力手段１０ｃは、表示手段１０ｂにより表示された複数の呼の中で加入者が接続希望呼を選択すべく設けられたものであり、この機能は、図３に示すテンキーにより実現される。
図３は上記の第１実施形態に係る移動局１０のディスプレイ表示の一例を示す図であるが、この図３に示すディスプレイ１５が基地局１１ａ〜１１ｃ側からのメッセージを表示し、これにより、加入者はテンキーを押下してリプライ（返信又は返送）できるようになっている。ここで、ビジュアルに通知する方法は、ショートメッセージ（Short Message）サービスをも含む。また、移動局１０は網側から通知された場合に、この警告音が段階的に変化し、加入者の操作により応答を促すようになっている。また、この移動局１０については、後述する他の実施形態及び各変形例においても、図３と同様な構成である。
【００４０】
さらに、送信手段１０ｄ（図２参照）は、入力手段１０ｃにより選択された接続希望呼に関する情報を基地局１１ａ〜１１ｃに対して送信しうるものであり、この機能は、所望のデータを送出するために、ＣＰＵ及びＲＡＭ等とその所望のデータを送信する送信回路（図示省略）により実現されるようになっている。
次に、図１において、基地局１１ａ〜１１ｃはそれぞれ移動局１０との間で無線信号の送受信を行なうとともに交換局１２ａ〜１２ｃとの間で所定形式の信号の送受信を行なうものである。この中で基地局１１ａは、マルチコールをサポートしていないものであり、基地局１１ｂ〜１１ｃは、それぞれ、マルチコールをサポートしているものである。従って、移動局１０は、基地局１１ｂ，１１ｃと接続されたときは、マルチコール設定可能であるが、基地局１１ａと接続されたときは、シングルコール設定しかできない。
【００４１】
また、これらの基地局１１ａ〜１１ｃは、それぞれ、基地局１１ａ〜１１ｃを制御するための基地局制御装置２０ａ〜２０ｃをそなえて構成されている。
図４は上記の第１実施形態に係る基地局制御装置２０ｂ（又は２０ｃ）の機能ブロック図であり、この図４に示す基地局制御装置２０ｂは、保持手段２０ｅと、検出手段２０ｆと、通知手段２０ｇと、応答受信手段２０ｈと、送信手段２０ｉとをそなえて構成されている。
【００４２】
ここで、保持手段２０ｅは、周辺の基地局のそれぞれについて、同時に通話設定できる呼数を保持するものであり、検出手段２０ｆは、ハンドオーバーの発生と網の輻輳状態の変動とを検出し保持手段２０ｅに保持された呼数に基づいて、マルチコール対応が不可であることを検出しうるものであり、通知手段２０ｇは、検出手段２０ｆが検出したハンドオーバー要求を発呼したマルチコール端末１０（移動局１０）に対して、継続可能な複数の呼の数に関する特別メッセージを送信するものであり、また、応答受信手段２０ｈは、通知手段２０ｇにより通知された複数の呼のうちマルチコール端末１０が送信した接続希望呼を有する応答を受信しうるものであり、送信手段２０ｉは、応答受信手段２０ｈが受信したその接続希望呼を交換局１２ｂ（又は１２ｃ）に対して送信するものである。これらの機能は、ソフトウェアにより発揮されるようになっている。なお、基地局制御装置２０ｃについても、基地局制御装置２０ｂと同様な構成であり、後述する他の実施形態及び各変形例においても同様である。
【００４３】
さらに、図１において、交換局１２ａ〜１２ｃはそれぞれ他の交換局及びＰＳＴＮ等との間で交換処理を行なうものである。そして、この中で交換局１２ａは、マルチコールをサポートしていないものであり、交換局１２ｂ，１２ｃは、それぞれ、マルチコールをサポートしているものである。
図５は上記の第１実施形態に係る交換局１２ｂの機能ブロック図を示す図である。この図５に示す交換局１２ｂは、判別手段３０と、事象検出手段３１と、呼数変更手段３２とをそなえて構成されている。
【００４４】
ここで、判別手段３０は、複数の呼を同時に通話設定できる第１マルチコール端末からの発呼か、又は、一個の呼を通話設定できるシングルコール端末からの発呼かを判別するものである。すなわち、判別手段３０は、発呼した移動局１０が、マルチコールをサポートしているものか否かを判別できるようになっている。
また、事象検出手段３１は、ハンドオーバー発生と網の輻輳状態の変動とに起因する事象（以下の説明にて環境変化と称することがある）を検出しうるものであって、その検出は、ハンドオーバー要求信号を受信したことによるか、又は、網の輻輳状態をＣＰＵの負荷を監視してその負荷がある程度大きくなったときになされるようになっている。
【００４５】
さらに、呼数変更手段３２は、判別手段３０にて判別されたマルチコール端末１０が通話中に、事象検出手段３１にて事象が検出されると、マルチコール端末１０の通話呼数を変更しうるものである。この通話呼数の変更とは、通話呼数を増加又は減少させることを意味する。
これにより、判別手段３０にて、通話設定されている移動局１０がマルチコール端末かシングルコール端末かが判別され、事象検出手段３１にて、ハンドオーバー発生と網の輻輳状態の変動とに起因する事象が検出される。そして、呼数変更手段３２にて、移動局１０が通話中に、事象が検出されると、移動局１０の通話呼数が変更されるのである。
【００４６】
なお、交換局１２ｃについても、交換局１２ｂと同様な構成であり、後述する他の実施形態及び各変形例においても特に断らない限り同様である。
次に、この呼数変更手段３２について、図６を用いて説明する。
図６は上記の第１実施形態に係る呼数変更手段３２の機能ブロック図である。この図６に示す呼数変更手段３２は、特別メッセージ通知手段３２ａと、応答受信手段３２ｂと、再ハンドオーバー手段３２ｃとをそなえて構成されている。
【００４７】
ここで、特別メッセージ通知手段３２ａは、基地局制御装置２０ｂ，２０ｃとマルチコール端末１０とに対して複数の呼の増加・減少に関する呼数変更情報を挿入した特別メッセージを通知しうるものである。具体的には、交換局１２ｂ，１２ｃは、それぞれ、特別メッセージを、既存のシングルコールの呼処理メッセージを編集して作成したり、又は、新規な特別メッセージとして作成するようにしている。そして、この特別メッセージ通知手段３２ａは、第１マルチコール端末１０の警告音を段階的に変更すべく、呼数変更情報を段階的に設けるようになっている。
【００４８】
また、応答受信手段３２ｂは、特別メッセージ通知手段３２ａにより通知された複数の呼の中でマルチコール端末１０が選択した継続希望呼に関する応答を受信しうるものであり、さらに、再ハンドオーバー手段３２ｃは、応答受信手段３２ｂが受信した継続希望呼を継続接続するとともに、複数の呼のうちマルチコール端末１０が選択しない接続非希望呼を切断するものである。また、これらの各手段は、ソフトウェアによりその機能が発揮されるようになっている。
【００４９】
また、図１において、ＶＬＲ１０６ａ〜１０６ｃはそれぞれ、交換局１２ａ〜１２ｃに併設され、ＨＬＲ１３からの加入者データを一時的に格納するものである。これらを設けることにより、交換局１２ａ〜１２ｃのエリア内で、移動局１０が移動したときに、ＨＬＲ１３にアクセスすることなく、サービスの提供が可能となる。なお、その詳細については後述する第４実施形態の第１変形例にて説明する。
【００５０】
そして、ＨＬＲ１３はＶＬＲ１０６ａ〜１０６ｃ等に接続されて主として移動局０の加入者データについて管理するものであり、加えて、パケット処理装置１０７ａ〜１０７ｃは、それぞれ、パケット処理を行なうものであり、実用上は、交換局１２ａ〜１２ｃと協同することによりＭＳＣ−ＳＧＳＮとして、パケット処理機能を行なうようになっている。そして、マルチコールの場合は、これらのＭＳＣ−ＳＧＳＮ間にて、相互にメッセージが送受信され、情報が交換されるのである。
【００５１】
なお、図１に示す移動体システム９の構成は、後述する他の実施形態及び他の変形例においても、同様である。
これにより、図１において、マルチコールは、移動局１０の音声信号を含む無線信号は、例えば基地局１１ｃにて受信され、交換局１２ｃを介して公衆回線１０４ａに送信され、そして、移動局１０と電話先の固定端末１０５とが相互に通話する。また、パケット通信についても同様であって、移動局１０の例えば電子メールのテキストデータは、基地局１１ｃ及び交換局１２ｃを介して、インターネット網１０４ｂを介して他のメールサーバ（図示省略）に送信されるのである。
【００５２】
このように、移動体システム９には、１台のマルチコール端末を用いて同時に複数の回線を設定できるようになっており、この複数の呼を同時に接続するマルチコールと、一つの呼で複数の通信リンクを設定するマルチコネクションとのいずれの機能もが盛り込まれている。従って、電話しながらテキストデータを送受信したり、ＦＡＸ送信しながらテキストデータを送受信でき、また、マルチコールとシングルコールとをサポートできる。
【００５３】
そして、このように、マルチコール（又はマルチセッション）状態で通信している加入者は、通話中の環境変化によって、シングルコール又は現在通話中の呼数以下でしか通話を継続できなくなった場合に、加入者が望む通信が継続されるのである。
ここで、環境変化とは、移動通信において、例えば移動局１０の移動によりハンドオーバーが必要になった状態、又は、網の輻輳状態が変動してシングルコール又は現在通話中の呼数以下でしか通話が継続できなくなった状態を意味する。
【００５４】
そして、主として次の（１−１）〜（１−３）に示す３種類についての処理が、それぞれ、実行される。
（１−１）交換局１２ｂ，１２ｃは、いずれも環境変化が発生したことを検出すると、現在通話中の回線設定を現状のままの状態で継続可能か否かをチェックする。
（１−２）交換局１２ｂ，１２ｃは、いずれも継続不可とした場合、ハンドオーバーを実行する前に、本発明を適用した新規メッセージを作成し、加入者に対して継続可能な呼の数とともに通知する。
【００５５】
（１−３）交換局１２ｂ，１２ｃは、いずれも加入者からの応答に従って通話の呼数を変化させて、必要に応じて環境変化に対応するために、ハンドオーバー等の処理を実行する。
以下、上述のように構成された本実施形態の交換機システムの動作について図７に示すフローチャートと、図８に示すシーケンスとを参照しながら詳述する。
【００５６】
図７は上記の第１実施形態に係る交換局１２ｂの処理を示すフローチャートである。交換局１２ｂは、局間ハンドオーバー要求を受信すると（ステップＡ１）、そのハンドオーバー要求に含まれるハンドオーバー先の交換局１２ｃ（ハンドオーバーにより接続される接続先交換局）がマルチコールをサポートしているか否かを判定し、その交換局１２ｃがマルチコールをサポートしている場合はＹＥＳルートを通り、ステップＡ７において、ハンドオーバーが実行される。
【００５７】
一方、ステップＡ２において、ハンドオーバー先の交換局１２ａにてマルチコールがサポートされていない場合には、ＮＯルートを通って、ステップＡ３において、移動局１０に対してハンドオーバー先がマルチコール不可である旨を通知する。さらに、交換局１２ｂは、移動局１０からの回答を待ち（ステップＡ４）、回答を受信すると（ステップＡ５）、通話中の呼／セッションを切断して（ステップＡ６）、ハンドオーバーを実行して（ステップＡ７）、処理が終了する。なお、Ａ８を付した部分が、マルチコールについての処理部分となっている。
【００５８】
図８は上記の第１実施形態に係るハンドオーバーシーケンスを示す図であり、処理内容（Ｂ１，Ｂ８，Ｂ１０）とメッセージ名（Ｂ２〜Ｂ７，Ｂ９）とが示されている。この図８を用いて、ハンドオーバー発生にともなう処理方法を説明する。なお、以下の説明においては、特に断らない限り、メッセージ名を簡略して表記することがあり、後述する他の実施形態又は各変形例においても同様である。
【００５９】
まず、シングルコール等の発着信があった場合は、加入者は特別な操作等は不要である。一方、加入者（移動局１０）と接続先加入者（固定端末１０５）とがマルチコールで通話処理中（Ｂ１と付したもの）に、基地局制御装置２０ｂが、ハンドオーバーが必要であることを示すHandover RequiredメッセージＢ２を交換局１２ｂに送信して、交換局１２ｂがそのメッセージＢ２を受信して環境変化の発生を検出すると（事象検出ステップ）、現在通話中の呼を継続可能かどうかをチェックする。このチェックは、ハンドオーバー先の網の能力（マルチコール可能であるか否か）及びハンドオーバー先の網における輻輳状態の確認が含まれる。
【００６０】
そして、交換局１２ｂは、事象検出ステップにて事象が検出されると、ハンドオーバー先の交換局１２ｃに対して複数の呼の増加・減少に関する呼数変更情報を挿入して特別メッセージとしてHandover RequestメッセージＢ３を通知する（特別メッセージ通知ステップ）。このメッセージＢ３には、現在通話中の呼数が挿入されてからハンドオーバー先の交換局１２ｃに対して通知される。
【００６１】
また、交換局１２ｃはHandover RequestメッセージＢ４をハンドオーバー先の基地局制御装置２０ｃに対して送信する。
上記のメッセージＢ３を受信したハンドオーバー先の交換局１２ｃと、メッセージＢ４を受信したハンドオーバー先の基地局制御装置２０ｃとは、それぞれ、自分自信の能力及び網の輻輳状態を判定して、また、それぞれ、ハンドオーバー可能な呼数をHandover Request ackメッセージＢ５，Ｂ６に含めてリプライする。
【００６２】
そして、交換局１２ｂは、このHandover Request ackメッセージＢ６を受信すると、呼数を確認し、全ての呼が継続不可とした場合、ハンドオーバーを実行する前に、継続可能な呼数とともに移動局１０に対して、緩やかな警告音を聞かせることができるように、通知用の特別メッセージＢ７を編集して送出し、また、応答待ちタイマーＢ８を開始する。この特別メッセージを編集，送出する方法は、例えば次の（２−１）〜（２−３）に示す方法が用いられる。
【００６３】
（２−１）ハンドオーバー中のハンドオーバー指示メッセージＢ７中にマルチコール端末（移動局１０）が表示可能な警告メッセージを含めて送出。
（２−２）通知用の特別メッセージを編集して送出。この方法は既存のシングルコールの呼処理メッセージ又は新規な特別メッセージを想定している。
（２−３）ショートメッセージを編集して送出。
【００６４】
ここで、加入者は警告音を聞き表示を確認して、接続を希望する呼の呼識別子を選択し（図３参照）、応答メッセージＢ９をリプライする。従って、上記の特別メッセージ通知ステップにて通知された複数の呼の中でマルチコール端末１０が選択した継続希望呼に関する応答を交換局１２ｂが受信する（応答受信ステップ）。また、交換局１２ｂは、応答待ちタイマーが終了する前に、この応答メッセージＢ９を受信すると、選択した呼以外を強制切断し、ハンドオーバーを実行し、これにより、呼の再構築が行なわれる（Ｂ１０と付したもの）。すなわち、応答受信ステップにて受信された継続希望呼を交換局１２ｂが接続するとともに、複数の呼のうちマルチコール端末１０が選択しない接続非希望呼を切断するのである（再ハンドオーバーステップ）。
【００６５】
なお、応答待ちタイマーＢ８が終了した（Expired）場合は、交換局１２ｂは、再度、警告音を含めた通知用の特別メッセージを編集して送出し、応答待ちタイマーをかける。このとき警告音は、応答をリプライしない場合は切断するという意味を表すために前回とは異なる警告音を使用する。
また、応答待ちタイマーがＮ回（Ｎは２以上の自然数を表す）終了した場合は、交換局１２ｂは、ハンドオーバー可能な呼数をランダムに選択して呼を継続させるか、又は、ハンドオーバーを中止する。
【００６６】
このように、交換局１２ｂがハンドオーバー発生を検出すると（事象検出ステップ）、交換局１２ｃに対して複数の呼の増加・減少に関する呼数変更情報を挿入して特別メッセージＢ３を通知し（特別メッセージ通知ステップ）、また、移動局１０に継続可能な呼数を通知すべく特別メッセージＢ７を送信し、複数の呼の中で移動局１０が選択した継続希望呼に関する応答を交換局１２ｂが受信し（応答受信ステップ）、継続希望呼を接続するとともに、複数の呼のうち移動局１０が選択しない接続非希望呼を切断する（再ハンドオーバーステップ）。
【００６７】
従って、電話しながらインターネット接続するようなマルチセッション技術において、環境変化によりシングルコールへの変更又は現在通話設定されている呼数以下の呼数への変更の必要が生じた場合に、加入者が通話設定された複数呼の中から所望の呼を選択できるようになる。
そして、このように、加入者が電話とインターネット接続とを同時にしているときに、ハンドオーバー発生や網の輻輳状態の変動によって、シングルコール又は現在通話中の呼数以下でしか通話が継続できなくなっても、加入者が望む通信を継続できる。
【００６８】
また、このようにして、加入者主体による通話選択ができ、一加入者についての複数呼のプライオリティが管理されるので、マルチコールサービスを広く普及させることができる。
（Ａ１）本発明の第１実施形態の第１変形例の説明
本変形例では、網の輻輳状態が変動した時の態様を説明する。また、本変形例においても、図１に示す移動体システム９の構成と同様であるので、移動体システム９についての重複した説明を省略する。
【００６９】
図９（ａ）は本発明の第１実施形態の第１変形例に係る呼数変更手段の機能ブロック図である。この図９（ａ）に示す呼数変更手段３３は、判別手段３０（図５参照）にて判別されたマルチコール端末１０が通話中に、事象検出手段３１（図５参照）にて事象が検出されると、マルチコール端末１０の通話呼数を変更しうるものであって、呼選択手段３３ａと、切断通知手段３３ｆと、応答受信手段３３ｇと、再ハンドオーバー手段３３ｈとをそなえて構成されている。
【００７０】
ここで、呼選択手段３３ａは、通話中の複数の呼の中から切断する切断呼を所定の条件に基づいて選択するものであって、プライオリティ保持手段３３ｂと、出力手段３３ｃとをそなえて構成されている。このプライオリティ保持手段３３ｂは、切断呼のそれぞれに、通話中の呼のプライオリティを付与してそのプライオリティを保持するものであり、また、出力手段３３ｃは、事象が緩和した場合はプライオリティ保持手段３３ｂに保持されたプライオリティに基づいてその切断呼を出力するものである。これらの機能は例えばＣＰＵ及びＲＡＭ等によって実現される。
【００７１】
また、切断通知手段３３ｆは、呼選択手段３３ａが選択した切断呼に対応するマルチコール端末１０に対して切断メッセージを通知するものである。なお、この所定の条件については、後述する。さらに、応答受信手段３３ｇは、切断通知手段３３ｆにより通知されたマルチコール端末１０が選択した接続希望呼に関する応答を受信しうるものであり、再ハンドオーバー手段３３ｈは、応答受信手段３３ｇが受信した接続希望呼を接続するとともに、複数の呼のうちマルチコール端末１０が選択しない接続非希望呼を切断するものである。
【００７２】
これにより、マルチコールがサポートされていれば、１人の加入者が複数の回線を占有している可能性もあるので、低プライオリティの呼がない場合でも、複数の回線を設定している加入者の回線呼数を減少させることにより、空いた回線を新たな加入者に割り当てるのである。
従って、交換局１２ｂは、網の輻輳状態が変動した場合において新規発信を受信した場合に、その新規発信のプライオリティよりも低いプライオリティを有する呼がない場合においても、交換局１２ｂは、新規発信された呼を拒否せずに、収容できるようになる。
【００７３】
以下、上述のように構成された本変形例における交換機システムの動作について図１０，図１１に示すフローチャートと、図１２に示すシーケンスとを参照しながら詳述する。まず、図１０と図１１とを用いて、シングルコール時と、マルチコール時との交換局１２ｂの処理について説明する。
図１０はシングルコール時の交換局１２ｂの処理を示すフローチャートである。まず、網が輻輳状態になったときに（ステップＡ１０）、交換局１２ｂが新規に発信された呼（以下、新規呼と称することがある）を受信すると（ステップＡ１１）、ステップＡ１２においてその新規呼を接続できるかどうかを判定し、接続できるならばＹＥＳルートを通り、ステップＡ１５において、その新規呼を接続して処理は終了する。
【００７４】
一方、ステップＡ１２において、交換局１２ｂがその新規呼を接続できないと判定した場合は、ＮＯルートを通り、交換局１２ｂは、ステップＡ１３において低プライオリティの呼があるかどうかを判定する。そして、低プライオリティの呼がある場合には、ＹＥＳルートを通り、交換局１２ｂはステップＡ１５以降の処理を行なう。また、ステップＡ１３において、低プライオリティの呼がない場合には、ＮＯルートを通り、ステップＡ１４において、新規発信を拒否して、処理は終了する。
【００７５】
図１１は上記の第１実施形態の第１変形例に係る交換局１２ｂ（ＳＷ側と表示されている）の処理を示すフローチャートである。まず、網が輻輳状態になったときに（ステップＡ２０）、交換局１２ｂが新規呼を受信すると（ステップＡ２１）、ステップＡ２２においてその新規呼を接続できるかどうかを判定し、接続できるならばＹＥＳルートを通り、ステップＡ２９において、その新規呼を接続して処理は終了する。
【００７６】
一方、ステップＡ２２において、交換局１２ｂがその新規呼を接続できないと判定した場合は、ＮＯルートを通り、交換局１２ｂは、ステップＡ２３において低プライオリティの呼があるかどうかを判定する。そして、低プライオリティの呼がある場合には、ＹＥＳルートを通り、交換局１２ｂはステップＡ２９の処理を行なう。また、ステップＡ２３において、低プライオリティの呼がない場合には、ＮＯルートを通り、ステップＡ２４に進む。
【００７７】
そして、交換局１２ｂは、マルチコール加入者である移動局１０の中から一局を選択し（ステップＡ２４）、その局に対して呼選択要求メッセージを送信する（ステップＡ２５）。さらに、交換局１２ｂは、移動局１０からの回答を待ち（ステップＡ２６）、回答を受信すると（ステップＡ２７）、通話中の呼／セッションを切断して（ステップＡ２８）、新規呼の接続処理を行ない（ステップＡ２９）、処理が終了する。従って、シングルコールの呼を確実に網に収容できる。なお、濃い色を付した部分が、マルチコールについての処理部分となっている。
【００７８】
図１２は上記の第１実施形態の第１変形例に係るハンドオーバーシーケンスを示す図であり、処理内容の表示（Ｂ２１，Ｂ２４）とメッセージ名（Ｂ２０，Ｂ２２，Ｂ２３）とが示されている。
まず、既存の発着信時に加入者は特別な操作等は不要である。そして、交換局１２ｂは、新規発信要求メッセージＢ２０を受信すると、交換局１２ｂは、ハンドオーバー発生と網の輻輳状態の変動とに起因する事象を検出し（事象検出ステップ）、回線確認処理Ｂ２１を行なう。すなわち、交換局１２ｂは、接続できないときにマルチコールしている加入者（マルチコール加入者Ｃと付したもの）がいた場合は、そのマルチコール加入者Ｃに対して呼数の減少を要求するための特別メッセージＢ２２を編集し送出する（特別メッセージ通知ステップ）。なお、この特別メッセージＢ２２は、既存の呼処理メッセージ又は新規特別メッセージが用いられる。
【００７９】
一方、マルチコール加入者Ｃは、警告音やディスプレイ表示により、受信を知り、接続を希望する呼の呼識別子を選択して応答メッセージＢ２３をリプライする。そして、特別メッセージＢ２２を用いて通知した複数の呼の中でマルチコール加入者Ｃが選択した継続希望呼に関する応答メッセージＢ２３を交換局１２ｂが受信する（応答受信ステップ）。
そして、Ｂ２４と付した枠内に示すように、応答受信ステップにて受信した継続希望呼を交換局１２ｂが接続するとともに、複数の呼のうちマルチコール加入者Ｃが選択しない接続非希望呼を切断し（再ハンドオーバーステップ）、空いた回線を使用して新規発信要求を処理するのである。
【００８０】
従って、上記の特別メッセージ通知ステップが、発信加入者Ａ（第１マルチコール端末）以外のマルチコール加入者Ｃ（第２マルチコール端末）が送信した発信要求を受信すると、マルチコール加入者Ｃに対して、特別メッセージに、複数の呼の数を減少させる呼数減少情報を挿入するように構成されるとともに、再ハンドオーバーステップが、特別メッセージ通知ステップにおける切断により解放された回線を用いて、発信要求に対して応答を送信するように構成されたことになる。
【００８１】
このように、交換局１２ｂが輻輳状態において、低プライオリティの呼がなく、切断できる呼がない場合でも、新規発信された呼を接続できるようになり、空いた回線が新たな加入者に割り当てられるので、加入者へのサービスの質が向上する。
また、このように、第１実施形態と同様に、加入者がマルチコール時に、ハンドオーバー発生や網の輻輳状態の変動によって、シングルコール又は現在通話中の呼数以下でしか通話が継続できなくなっても、加入者が望む通信を継続できるようになる。
【００８２】
（Ｂ）本発明の第２実施形態の説明
本実施形態は、交換局１２ｂ（又は１２ｃ）が移動局１０のハンドオーバー要求を受信すると、基地局制御装置２０ｂ，２０ｃのそれぞれに設けられた応答受信手段２０ｈと送信手段２０ｉ（ともに図４参照）とを用いて、交換局１２ｂが通知するようになっている。また、本実施形態においても、図１に示す移動体システム９の構成と同様なので、移動体システム９についての重複した説明を省略する。
【００８３】
本実施形態においては、移動局１０が基地局制御装置２０ｂから基地局制御装置２０ｃにハンドオーバーする場合を例にとって説明する。具体的には、マルチコール通話呼数変更方法は、特別メッセージを通知する際に、交換局１２ｂがハンドオーバーにより接続される接続先基地局装置２０ｃに関する情報を基地局制御装置２０ｂに対して通知し（基地局制御装置通知ステップ）、そして、基地局制御装置通知ステップにて通知された接続先基地局装置２０ｃから送信された継続可能な呼の数に関する呼変更情報を交換局１２ｂが受信する（呼変更情報受信ステップ）。そして、呼変更情報受信ステップが受信した呼変更情報がマルチコール端末１０に対して送信されるのである（送信ステップ）。
【００８４】
このように、加入者は、電話しながらインターネット接続できて、音声又はパケットのマルチコール状態又はマルチセッション状態で通信できる。また、例えば移動通信の場合に、移動により発生するハンドオーバーが必要な状態や網の輻輳状態が変動したときのような環境変化によって、シングルコール又は現在通話中の呼数以下でしか通話が継続できなくなった場合に、加入者が望む通信を継続できる。
【００８５】
図１３は本発明の第２実施形態に係るハンドオーバー元の基地局制御装置２０ｂの処理を示すフローチャートである。基地局制御装置２０ｂは、ハンドオーバー指示メッセージを受信すると（ステップＣ１０）、ステップＣ１２において、マルチコールできるか否かを判定して、可能ならば、ＹＥＳルートを通り、ステップＣ１３において、呼選択要求メッセージ（Handover Required）をハンドオーバー先の基地局制御装置２０ｃに対して送信して回答を待つ（ステップＣ１４）。
【００８６】
ここで、基地局制御装置２０ｂは、回答を受信すると（ステップＣ１５）、通話中の呼／セッションを切断して（ステップＣ１６）、ハンドオーバー指示を加入者に対して通知して（ステップＣ１７）、処理が終了する。
なお、ステップＣ１２において、マルチコールできなければＮＯルートを通り、基地局制御装置２０ｂは、処理を終了する。
【００８７】
図１４は上記の第２実施形態に係るハンドオーバー先の基地局制御装置２０ｃの処理を示すフローチャートであって、具体的には、ハンドオーバー元の基地局制御装置２０ｂからのハンドオーバー指示メッセージを受信したときのハンドオーバー確認処理を示している。この図１４に示すステップＣ１において、基地局制御装置２０ｃは、交換局１２ｃからハンドオーバー要求メッセージ（Handover Request）を受信すると、ステップＣ２において、マルチコールをサポートできるかどうかを判定して、可能ならば、ＹＥＳルートを通り、ステップＣ３において、輻輳又は基地局能力等のリソースに基づいてマルチコールのままでハンドオーバーできるかどうかを判定する。
【００８８】
そして、基地局制御装置２０ｃは、リソースに余裕があれば、ありルートを通り、ハンドオーバー応答（Handover Request ack）を交換局１２ｃに対してリプライして（ステップＣ５）処理が終了する。この一方、基地局制御装置２０ｃは、リソースに余裕がなければ、不足ルートを通り、マルチコール不可表示と呼数とを含むハンドオーバー応答を交換局１２ｂに対してリプライして（ステップＣ４）処理が終了する。
【００８９】
なお、ステップＣ２において、マルチコールをサポートできなければＮＯルートを通り、基地局制御装置２０ｃは、ステップＣ４の処理を行なう。
以下、上述のように構成された本実施形態におけるハンドオーバーの発生にともなう交換機システムの動作について図１５に示すシーケンスを参照しながら詳述する。図１５は本発明の第２実施形態に係るハンドオーバーシーケンスを示す図であり、事象の発生及び処理内容（Ｃ１９，Ｃ２８）とメッセージ名（Ｃ２０，Ｃ２１，Ｃ２４〜Ｃ２７）とが示されている。
【００９０】
まず、基地局制御装置２０ｂは、Ｃ１９と付したところに示すように、環境変化によりハンドオーバーする必要が生じたことを検出すると、ハンドオーバー依頼メッセージ（Handover Required）Ｃ２０を交換局１２ｂに送信し、この交換局１２ｂはハンドオーバー候補となる基地局制御装置２０ｃに対してハンドオーバー要求メッセージ（Handover Request）Ｃ２１を転送する。
【００９１】
基地局制御装置２０ｃは、そのハンドオーバー要求メッセージＣ２１を受信し、ハンドオーバー確認処理（Ｃ２３と付したもの）を行ない、マルチコールによるハンドオーバーであることを認識する。その際に、基地局制御装置２０ｃは、輻輳や基地局の能力によっては、マルチコールのままハンドオーバーすることは不可であることを判断し、マルチコールサポート不可情報を含めてハンドオーバー要求応答メッセージ（Handover Request ack）Ｃ２４をリプライする。
【００９２】
このハンドオーバー要求応答メッセージＣ２４は、交換局１２ｂを経由して、ハンドオーバー指示メッセージ（Handover Command）Ｃ２５が基地局制御装置２０ｂにて受信され、この基地局制御装置２０ｂは、ハンドオーバー指示メッセージＣ２５からマルチコールサポート不可情報を抽出する。そして、基地局制御装置２０ｂは、ハンドオーバーを実行する前に、継続可能な呼数を通知用の特別メッセージＣ２６に挿入し加入者に対して送出する。これについては、例えば次の（３−１）〜（３−３）に示す方法が行なわれる。
【００９３】
（３−１）ハンドオーバー中のハンドオーバー指示メッセージ中にマルチコール端末が表示可能な警告メッセージを含めて送出。
（３−２）通知用の特別メッセージを編集し送出。この方法はシングルコールの呼処理メッセージ又は新規な特別メッセージを想定している。
（３−３）ショートメッセージを編集して送出。ここで、メッセージを受信して表示を確認した加入者は、接続を希望する呼の呼識別子を選択し（図３参照）、応答メッセージＣ２７をリプライする。
【００９４】
そして、基地局制御装置２０ｂは、この応答メッセージＣ２７を受信すると、選択した呼以外を強制切断し、ハンドオーバーを実行し、呼の再構築が行なわれる（Ｃ２８と付したところ参照）。
このように、加入者がマルチコール時に、ハンドオーバーや網の輻輳の発生によって、シングルコール又は現在通話中の呼数以下でしか通話が継続できなくなっても、加入者が望む通信を継続できるようになる。
【００９５】
また、このようにして、加入者主体の通話選択ができ、一加入者についての複数呼のプライオリティが管理されるので、マルチコールサービスを広く普及させることができる。
（Ｃ）本発明の第３実施形態の説明
本実施形態は、ハンドオーバーが発生したときの態様である。また、本実施形態においては、基地局制御装置２０ｂは、ハンドオーバーのために隣接する基地局に関する情報を有するほか、基地局能力をそなえている。この隣接する基地局に関する情報とは、周辺に設けられた基地局１１ｃ等と、その基地局１１ｃ等の能力についての情報が含まれる。その他に関しては、図１に示す移動体システム９の構成と同様であるので、移動体システム９についての重複した説明を省略する。
【００９６】
図１６は本発明の第３実施形態に係る交換局１２ｂ（ＳＷ側と表示されている）の処理を示すフローチャートである。交換局１２ｂは、ハンドオーバーコマンドメッセージ（Handover Command）を送信し（ステップＤ１）、ステップＤ２において、全ての呼が接続可能かどうかを判定し、全ての呼を接続できる場合には、ＹＥＳルートを通り、処理を終了する。一方、全ての呼を接続できなければ、ＮＯルートを通り、ステップＤ３において、交換局１２ｂは、呼選択要求メッセージを送信する。続いて、交換局１２ｂは、その回答を待ち（ステップＤ４）、回答を受信すると（ステップＤ５）、交換局１２ｂは、通話中の呼／セッションを切断し（ステップＤ６）、再ハンドオーバー指示メッセージを送信して（ステップＤ７）、処理は終了する。なお、濃い色を付した部分が、呼接続についての処理部分となっている。
【００９７】
そして、上述のように構成された本実施形態における交換機システムの動作について図１７に示すシーケンスを参照しながら詳述する。図１７は上記の第３実施形態に係るハンドオーバーシーケンスを示す図である。
まず、ハンドオーバー元の基地局制御装置２０ｂは、例えばハンドオーバーが必要となるような環境変化が発生したことを検出すると（ステップＤ１０）、現在の通話状態を含めたHandover RequiredメッセージＤ１１を交換局１２ｂに対して送信する。この通話状態とは、回線交換サービスとパケット交換サービスとの区別及び提供サービスの内容により種別毎に分類された呼の数からなる。この提供サービスとは、例えば６４Ｋｂｐｓ（Kilo bit per second）のパケットサービス等を意味する。
【００９８】
そして、このHandover RequiredメッセージＤ１１は、交換局１２ｂにて、Handover RequestメッセージＤ１２に変更されて、ハンドオーバー先の基地局制御装置２０ｃにて受信される。この基地局制御装置２０ｃは、輻輳状態や基地局能力に基づいて、通話継続可能な呼数及びサービス内容をHandover Request ackメッセージＤ１３に含めてリプライする。
【００９９】
このHandover Request ackメッセージＤ１３は、交換局１２ｂにて、Handover CommandメッセージＤ１４に変更されて、基地局制御装置２０ｂに対して送信される。そして、この基地局制御装置２０ｂは、Handover CommandメッセージＤ１４を受信し、継続可能な呼数とともに加入者に対して通知用の特別メッセージＤ１５を編集し送出する。次の（４−１）〜（４−３）に例を示す。
【０１００】
（４−１）ハンドオーバー中のハンドオーバー指示メッセージ中にマルチコール端末に表示可能な警告メッセージを含めて送出。
（４−２）通知用の特別メッセージを編集し送出。この方法はシングルコールの呼処理メッセージ又は新規な特別メッセージを想定している。
（４−３）ショートメッセージを編集して送出。ここで、メッセージを受信して表示を確認した加入者は、接続を希望する呼の呼識別子を選択し（図３参照）、応答メッセージＤ１６をリプライする。
【０１０１】
基地局制御装置２０ｂは、この応答メッセージＤ１６を受信し、その内容に沿って、交換局１２ｂに対して切断要求メッセージＤ１７を送信し、呼数が減少するのを待ち、Ｄ１８と付したところに示すように、呼数がハンドオーバーできる範囲になると、通常通り、再ハンドオーバーを実行する。
このように、基地局制御装置２０ｂが、ハンドオーバー発生等を検出する場合でも、複数呼のプライオリティが管理されるので、加入者が望む通信を継続できる。
【０１０２】
（Ｄ）本発明の第４実施形態の説明
本実施形態においても、切断呼を選択の仕方を変更することができる。また、図１に示す移動体システム９の構成と同様であるので、移動体システム９についての重複した説明を省略する。
図９（ｂ）は本発明の第４実施形態に係る呼数変更手段の機能ブロック図である。この図９（ｂ）に示す呼数変更手段１３３は、判別手段３０（図５参照）にて判別されたマルチコール端末１０が通話中に、事象検出手段３１（図５参照）にて事象が検出されると、マルチコール端末１０の通話呼数を変更しうるものであって、呼選択手段１３３ａと、アルゴリズム保持手段１３３ｂと、ＱＯＳ保持手段１３３ｃと、呼順序保持手段１３３ｄとをそなえて構成されている。
【０１０３】
ここで、呼選択手段１３３ａは、切断呼を、切断メッセージ内の所定領域に含まれる呼のプライオリティに関する情報に基づいて選択するものであり、また、ゴリズム保持手段１３３ｂは、呼を選択するアルゴリズムを保持するものである。加えて、ＱＯＳ保持手段１３３ｃは、伝送信号の等級を表す品質サービス（ＱＯＳ：Quality of Service）値を保持するものであり、呼順序保持手段１３３ｄは、発呼された複数の呼の順序を保持するものである。これらの機能は、例えばソフトウェアにより実現される。なお、ＱＯＳ保持手段１３３ｃ，呼順序保持手段１３３ｄについては、それぞれ、後述する第４実施形態の第２変形例にて説明する。
【０１０４】
図１８は上記の第４実施形態に係るメッセージイメージを示す図である。この図１８に示すメッセージイメージ１６は、一例として、呼管理サービス要求メッセージ（Call Management Service Request;CM Service REQ）フォーマットのうち主要なものを抜き出して表示しており、このメッセージイメージ１６は、メッセージタイプ等のほか、プライオリティ領域（Priority）１７を有する。このプライオリティ領域１７は、相対プライオリティ領域１７ａと、接続プライオリティ領域１７ｂとを有する。
【０１０５】
ここで、相対プライオリティ領域１７ａは、自分自身の呼と自分以外の他人の呼との相対的なプライオリティを表すものでる。また、接続プライオリティ領域１７ｂは、自分が有する複数の通話呼の間における相対的なプライオリティを記録するためのものであり、例えば、音声通話，インターネット接続，ＦＡＸ送受信の順番に、自分自身が使用することのある通信種別についての相対値が設定されるのである。
【０１０６】
すなわち、既存のメッセージフォーマット内のパラメータを挿入するためのパラメータ部分が拡張され、上記の相対プライオリティ領域１７ａのほか、接続プライオリティ領域１７ｂが設けられ、そして、移動局１０は、発呼時に、接続プライオリティ領域１７ｂに、自分自身が有する他の通信種別間での相対プライオリティを設定して送信する。
また、着信時には、既存のPaging Responseメッセージ内のプライオリティ領域１７には、自分自身と自分以外の他人との相対Priorityのみならず、パラメータ部を拡張することによって得られる接続プライオリティ領域１７ｂの内容が抽出されるのである。
【０１０７】
なお、このメッセージイメージ１６は、呼種別による選択方式を採用したときの一例であって、設計方針の変更にともなって、これらの領域は、多少変更されることがある。
上述のように構成された本実施形態におけるハンドオーバーの発生にともなう交換機システムの動作について図１９に示すフローチャートと図２０に示すシーケンスとを参照しながら詳述する。
【０１０８】
図１９は上記の第４実施形態に係る交換局１２ｂの処理を示すフローチャートである。まず、交換局１２ｂは、加入者から受信した発信要求メッセージ又は着信応答メッセージを受信すると（ステップＥ１）、それらのメッセージ内にある接続プライオリティを通話中保持する（ステップＥ２）。そして、交換局１２ｂは、通話中に（ステップＥ３）、局間ハンドオーバー要求メッセージを受信すると（ステップＥ４）、ステップＥ６において、ハンドオーバー先の交換局１２ｂがマルチコールをサポートしているかどうかを判定する。そして、サポートされている場合は、ＹＥＳルートを通り、ステップＥ９において、ハンドオーバーを行ない、一方、サポートされていない場合には、ＮＯルートを通り、ステップＥ７に進む。なお、Ｅ５を付した濃い色のところが、マルチコールサポートを判定する部分である。
【０１０９】
また、交換局１２ｂは、高プライオリティ呼について選択処理を行ない（ステップＥ７）、通話中の呼／セッションを切断し（ステップＥ８）、ハンドオーバーを実行して（ステップＥ９）、処理は終了する。
図２０は上記の第４実施形態に係るハンドオーバーシーケンスを示す図であり、加入者（移動局１０）と、基地局制御装置２０ｂと、交換局１２ｂと、接続先の加入者（移動局１０ｂ，１０ｃ）との間におけるシーケンスが示されている。また、処理内容（Ｅ１２，Ｅ１４，Ｅ１８，Ｅ２０，Ｅ２３）とメッセージ名（Ｅ１０，Ｅ１３，Ｅ１５，Ｅ１６，Ｅ１７，Ｅ１９，Ｅ２１，Ｅ２２）とが示されている。
【０１１０】
まず、移動局１０は、発信要求メッセージＥ１０（発信要求１）を交換局１２ｂに対して送信し、交換局１２ｂは、このメッセージが有するプライオリティを保持するとともに（Ｅ１２と付したところ）、接続先の加入者（移動局１０ｂ）に対してメッセージＥ１３を送信し、これにより、移動局１０と移動局１０ｂとの間での通話が開始される（Ｅ１４と付したもの）。
【０１１１】
さらに、他の加入者（移動局１０ｃ）が、交換局１２ｂに対して、別の発呼メッセージＥ１５を送信し、交換局１２ｂは、移動局１０に対して着信メッセージＥ１６を送信する。ここで、移動局１０は、交換局１２ｂに対して、応答メッセージＥ１７を送信し、交換局１２ｂは、そのプライオリティを保持し、これにより、移動局１０ｃと移動局１０との間での通話（呼１＆呼２）が開始される（Ｅ１８と付したもの）。
【０１１２】
そして、基地局制御装置２０ｂが、例えばハンドオーバーが必要である等の環境変化を検出して、交換局１２ｂに対してハンドオーバー要求メッセージＥ１９を送信し、交換局１２ｂは、そのメッセージＥ１９を受信すると、現在通話中の呼を現状のまま継続可能かどうかをチェックする。
ここで、交換局１２ｂは、継続不可とした場合、ハンドオーバーを実行する前に、通話中の全ての呼についての接続プライオリティを比較し、高プライオリティを設定された呼を継続可能呼として選択する（Ｅ２０と付したもの）。
【０１１３】
また、交換局１２ｂは、移動局１０に対して通知用の特別メッセージＥ２１を編集して送出する。ここで、シングルコールの呼処理メッセージ又は新規な特別メッセージを想定している。
さらに、移動局１０は、メッセージＥ２１を受信して表示を確認し、交換局１２ｂの処理に対して同意する場合／それ以外の場合は、それぞれ、呼数変更応答メッセージＥ２２の中に、ＯＫ／ＮＧを挿入した許諾メッセージ／拒否メッセージをリプライする。
【０１１４】
また、交換局１２ｂは、拒否メッセージを受信した場合は、ハンドオーバー等を拒否する一方、許諾メッセージを受信した場合は、Ｅ２３と付した枠内に示すように、選択した呼以外を強制切断し、ハンドオーバー先の基地局制御装置２０ｃに対してハンドオーバーを実行する。
このように、既存のメッセージフォーマットを変更せずに、呼のプライオリティ情報を送受信できるので、汎用性に優れ、拡張性が向上する。
【０１１５】
（Ｄ１）本発明の第４実施形態の第１変形例の説明
本変形例は、継続する呼を選択する場合において、図９（ｂ）に示す呼選択手段１３３ａが、切断呼を、ＨＬＲ１３からＶＬＲ１０６ａ〜１０６ｃに送信された加入者データに含まれる情報に基づいて選択するようになっている。
図２１は本発明の第４実施形態の第１変形例に係る加入者データのイメージを示す図である。この図２１に示す加入者データ１８は、ＨＬＲ１３からＶＬＲ１０６ａ〜１０６ｃのそれぞれに送信されるデータであって、加入者識別子等のほか、情報領域１９を有する。
【０１１６】
ここで、ＶＬＲ１０６ａ〜１０６ｃは、それぞれ、１以上の交換局１２ａ〜１２ｃに付随して設置され、位置情報等の加入者情報を一時的に保持するものである。これにより、交換局１２ａ〜１２ｃのそれぞれのエリア内において移動局１０が移動した場合に、交換局１２ａ〜１２ｃは、いずれも、毎回ＨＬＲ１３にアクセスすることなく、移動局１０の加入者情報等について対応できるようになっている。また、実用上は、ＶＬＲ１０６ａ〜１０６ｃは、それぞれ、交換局１２ａ〜１２ｃ毎に設けられており、交換局１２ａとＶＬＲ１０６ａとが協同して（以下、ＭＳＣ／ＶＬＲと称することがある）、加入者情報等の管理機能が実現されている。同様に、交換局１２ｂとＶＬＲ１０６ｂとが協同し、交換局１２ｃとＶＬＲ１０６ｃとが協同して、管理機能が発揮されている。
【０１１７】
そして、これらのＭＳＣ／ＶＬＲは、ＬＡ（Location Area）における位置管理を行なうようになっている。ここで、ＬＡとは、セルの上位概念であって複数セルがまとめられ位置登録エリアという識別子が付されている。また、ＨＬＲ１３の保持内容が更新されるタイミングは、ＶＬＲ１０６ａ〜１０６ｃをまたがるような移動が発生した場合のみである。なお、移動局１０のセル間移動では交換局１２ａ〜１２ｃへのアクセスは発生しない。
【０１１８】
例えば、移動局１０が、交換局１２ａから交換局１２ｂに移動すると、ＶＬＲ１０６ｂ経由で、ＨＬＲ１３のデータ内容が更新され、そして、ＨＬＲ１３はＶＬＲ１０６ａに記録されている古いデータについて更新する。これに対して、移動局１０が交換局１２ｂから交換局１２ｃに移動した場合は、ＨＬＲ１３のデータ内容は更新されない。
これにより、移動局１０が網のどの場所にあっても位置登録を行なえて、また、網側は、特定の移動局１０に対する着信があったときに、全ての交換局１２ａ〜１２ｃについて、移動局１０を探す必要がなくなるので通信効率が向上するのである。さらに、これにより、交換局１２ｂが、加入者に関する情報を取得できるようになっている。
【０１１９】
また、加入者データ１８に含まれる情報領域１９は、呼を選択するアルゴリズム種別を表すアルゴリズム種別領域１９ａと、ＨＬＲ１３にそれを登録するための登録手段選択領域１９ｂとを有する。このアルゴリズムとは、加入者単位に設けられ、例えば、発呼した移動局１０の電話番号の市外局番が０４４で始まるものを選択する等を意味する。
従って、呼選択手段１３３ａが、切断呼を、加入者単位に設けられた選択アルゴリズムに基づいて選択するようになっている。さらに、予め、加入者により設定された呼選択アルゴリズムが使用される場合には、その旨がＨＬＲ１３に送信される。また、既存の処理方法に沿って、位置登録する際には、加入者データの一部として新規に追加されたデータについても、交換局１２ｂに対して送信される。
【０１２０】
上述のように構成された本変形例におけるハンドオーバーの発生にともなう交換機システムの動作について図２２に示すフローチャートを参照しながら詳述する。図２２は上記の第４実施形態の第１変形例に係る交換局１２ｂ（ＳＷ側と表示されている）の処理を示すフローチャートである。
まず、ハンドオーバーが必要である等の環境変化が発生し、交換局１２ｂがハンドオーバー要求を受信すると（ステップＦ１）、交換局１２ｂは、現在通話中の呼がそのまま継続可能かどうかをチェックするため、ステップＦ３において、ハンドオーバー先の基地局制御装置がマルチコールをサポートしているかどうかを判定し、サポートしている場合には、ＹＥＳルートを通り、ハンドオーバーを実行して（ステップＦ６）、処理は終了する。なお、Ｆ２と付した部分が、マルチコールがサポートされているか否かを判定するための処理である。
【０１２１】
一方、ステップＦ３において、ハンドオーバー先の基地局制御装置２０ｃがマルチコールをサポートしていない場合には、現状の呼を継続させることができないのでＮＯルートを通り、ステップＦ４に進む。
このステップＦ４において、交換局１２ｂは、ハンドオーバーを実行する前に、加入者データ内の選択アルゴリズムに沿って継続不可能な呼を切断し、通知用の特別メッセージを編集し送出する。なお、この方法はシングルコールの呼処理メッセージ又は新規な特別メッセージを想定している。
【０１２２】
また、交換局１２ｂは、ショートメッセージを編集して送出することもあり、その場合は、交換局１２ｂは、通話中のセッションの選択又は切断を行ない、ステップＦ５において、交換局１２ｂは、加入者に対して呼変更通知を送信した後、ステップＦ６にてハンドオーバーを実行し、処理は終了する。
このように、選択アルゴリズムにより呼を管理するので、正確な運用ができる。
【０１２３】
（Ｄ２）本発明の第４実施形態の第２変形例の説明
本変形例においても、呼選択手段１３３ａが、切断呼を、加入者単位に設けられた選択アルゴリズムに基づいて選択するが、その選択アルゴリズムとして、２種類の態様を説明する。
まず、第１の態様は、選択アルゴリズムとして、通話中の複数の呼の中で接続した順序に従ったプライオリティによって継続する態様である。例えば、最初に接続した呼が選択されるようにするのである。
【０１２４】
具体的には、呼順序保持手段１３３ｄ（図９（ｂ）参照）にて、発呼された複数の呼の順序が保持され、そして、呼選択手段１３３ａがすべての呼に番号を割り振ることにより、すべての呼を管理し、ハンドオーバー時に、継続可能な呼を、その番号を基にして選択するのである。また、その番号は、既存のフォーマットで管理されるデータの一部に格納されるようになっている。
【０１２５】
上述のように構成された本変形例におけるハンドオーバーの発生にともなう交換機システムの動作について図２３に示すフローチャートを参照しながら詳述する。図２３は上記の第４実施形態の第２変形例に係る交換局１２ｂ（ＳＷ側と表示されている）の処理を示すフローチャートである。
ここで、既存の発着信時には、加入者は、特別な操作等を行なわないが、ハンドオーバーが必要である等の環境変化が発生し、交換局１２ｂがハンドオーバー要求を受信すると（ステップＦ１０）、交換局１２ｂは、現在通話中の呼がそのまま継続可能かどうかをチェックするため、ステップＦ１３において、ハンドオーバー先の基地局制御装置２０ａ〜２０ｃがマルチコールをサポートしているかどうかを判定する。なお、Ｆ１２と付した部分が、マルチコールがサポートされているか否かを判定するための処理である。
【０１２６】
ここで、基地局制御装置２０ｃのようにサポートしている場合には、ＹＥＳルートを通り、交換局１２ｂは、ハンドオーバーを実行して（ステップＦ１６）、処理は終了する。一方、ステップＦ１３において、ハンドオーバー先の基地局制御装置２０ａがマルチコールをサポートしていない場合には、交換局１２ｂは、ハンドオーバーを実行する前に、継続可能な呼を基にして、接続順に継続可能な呼を選択するとともに残りの呼を切断し（ステップＦ１４）、通知用の特別メッセージを編集し送出する（ステップＦ１５）。この方法はシングルコールの呼処理メッセージ又は新規な特別メッセージを想定している。また、交換局１２ｂは、ショートメッセージを編集して送出して、移動局１０に対して通知する。その後、交換局１２ｂは、ハンドオーバーを実行し（ステップＦ１６）、処理は終了する。
【０１２７】
次に、第２の態様は、選択アルゴリズムとして、呼選択手段１３３ａが、伝送信号の等級を表すＱＯＳ値に基づいて呼を選択する態様である。具体的には、ＱＯＳ保持手段１３３ｃ（図９（ｂ）参照）に保持された呼の中で、ＱＯＳ値が最大の呼が選択されるようになっている。すなわち、上記のステップＦ１４にて、継続可能な呼を、その呼数を基にして、ＱＯＳ順に選択するのである。
【０１２８】
ここで、既存の発着信時には、加入者は、特別な操作等を行なわない。そして、環境変化が発生し、交換局１２ｂがハンドオーバー要求を受信すると（ステップＦ１０）、交換局１２ｂは、現在通話中の呼がそのまま継続可能かどうかをチェックする（ステップＦ１３）。ここで、サポートしている場合には、ＹＥＳルートを通り、交換局１２ｂは、ハンドオーバーを実行して（ステップＦ１６）、処理は終了する。
【０１２９】
一方、ハンドオーバー先の基地局制御装置２０ａがマルチコールをサポートしていない場合（ステップＦ１３）、交換局１２ｂは、ハンドオーバーを実行する前に、継続可能な呼を基にして、ＱＯＳ順に継続可能な呼を選択するとともに、残りの呼を切断し（ステップＦ１４）、呼変更メッセージを編集し通知する（ステップＦ１５）。この方法はシングルコールの呼処理メッセージ又は新規な特別メッセージを想定している。また、交換局１２ｂは、ショートメッセージを編集して送出して、加入者に対して通知する。その後、交換局１２ｂは、ハンドオーバーし（ステップＦ１６）、処理は終了する。
【０１３０】
このように、呼選択手段１３３が、切断呼を、加入者単位に設けられた選択アルゴリズムに基づいて選択するので、きめ細かい制御が可能となる。
そして、このように、ハンドオーバー発生や網の輻輳状態の変動によって、シングルコール又は現在通話中の呼数以下でしか通話が継続できなくなっても、加入者が望む通信を継続できる。
【０１３１】
また、このようにして、加入者主体による通話選択ができ、一加入者についての複数呼のプライオリティが管理されるので、マルチコールサービスを広く普及させることができる。
（Ｅ）本発明の第５実施形態の説明
本実施形態では、ハンドオーバー発生にともない通話可能な呼数を抽出することによりハンドオーバーを実行する態様と、網の輻輳状態が緩和されたことによりハンドオーバーを実行する態様とについて説明する。その他に関しては、図１に示す移動体システム９の構成と同様であるので、移動体システム９についての重複した説明を省略する。
【０１３２】
まず、最初の態様は、現在通話中の呼数よりも多くの呼接続が可能な状態となった場合に、マルチコール可能な加入形態で契約している全加入者に対してその旨を通知する態様である。
図２４は本発明の第５実施形態に係るハンドオーバー元の交換局１２ｂの処理を示すフローチャートである。交換局１２ｂは、ハンドオーバー要求のアック（Handover Request ack）を受信すると（ステップＧ１）、呼数を保持し（ステップＧ２）、ステップＧ３にて、継続呼の数が減少したか否かを判定し、減少しない場合はＮＯルートを通り、ステップＧ８において、ハンドオーバーを実行する。
【０１３３】
一方、ステップＧ３において、継続呼の数が減少した場合には、ＹＥＳルートを通り、ステップＧ４において、交換局１２ｂは、ハンドオーバー先の交換局１２ｃに対して情報を通知し、さらに、交換局１２ｂは、ハンドオーバー先の基地局制御装置２０ｃからの回答を待ち（ステップＧ５）、切断を受信すると（ステップＧ６）、通話中の呼／セッションを切断して（ステップＧ７）、ハンドオーバーを実行する（ステップＧ８）。ここで、濃い色を付したところが、継続呼の数が減少したときの処理を表す。
【０１３４】
また、ステップＧ９において、交換局１２ｂは、最大呼数が増加したか否かを判定し、増加していれば、ＹＥＳルートを通り、ステップＧ１０において、呼の増加が可能かどうかを判定し、増加可能ならば、ＹＥＳルートを通り、ステップＧ１１にて通知して処理が終了する。なお、この交換局１２ｂは、アンカー方式を用いており、ハンドオーバーしても呼処理交換局１２ｂは変更しないので、その交換局１２ｂの輻輳状態や能力を確認する処理が再度必要となる。
【０１３５】
一方、ステップＧ９とステップＧ１０とにおいて、それぞれ、増加でない場合は、ＮＯルートを通り、いずれも、処理が終了する。
このような構成によって、一例として、第１マルチコール端末１０が、基地局制御装置２０ｂから基地局制御装置２０ｃにハンドオーバーするマルチコール通話呼数変更方法を説明する。
【０１３６】
図２５は上記の第５実施形態に係るハンドオーバーシーケンスを示す図であり、メッセージ（Ｇ２０〜Ｇ２５）が示されている。
まず、基地局制御装置２０ｂが、ハンドオーバー要求メッセージ（Handover Required）Ｇ２０を交換局１２ｂに対して送信する。同時に、交換局１２ｂはハンドオーバー要求メッセージＧ２１を、ハンドオーバーにより接続される交換局１２ｃに対して送信し（第１送信ステップ）、また、交換局１２ｃは、ハンドオーバー先の基地局制御装置２０ｃに対して、ハンドオーバー要求メッセージＧ２２を送信する。なお、メッセージＧ２１，Ｇ２２には、それぞれ、現在の呼数が加えられて、交換局１２ｃと基地局制御装置２０ｃとにおいて、それぞれ、受信される。
【０１３７】
続いて、この基地局制御装置２０ｃは、自分自身の能力及び輻輳状態を判定して、通話可能な呼数をHandover Request ackメッセージＧ２３に挿入して、リプライする。さらに、第１送信ステップにて送信された交換局１２ｃは自分自身の能力と輻輳状態とに基づいた通話可能な呼数を含むメッセージＧ２４を交換局１２ｂに対して送信する（第２送信ステップ）。
【０１３８】
そして、第２送信ステップにて送信された通話可能な呼数が現在通話中の呼数よりも多いと、交換局１２ｂは移動局１０に対して通話可能を示すメッセージＧ２５を通知するのである（呼数通知ステップ）。
具体的には、交換局１２ｂは、メッセージＧ２４を受信すると、その中に含まれる通話可能な呼数を確認して、現在の通話呼数よりも多い場合は、加入者に対してその旨を、次の（５−１）〜（５−３）のような方法を用いて通知し、これにより、マルチコール端末１０は、その「最大ＸＸ呼まで接続可能になりました」等を表示し、加入者に通知されるのである。その方法とは、例えば次のようになる。
【０１３９】
（５−１）ハンドオーバー中のハンドオーバーコマンドメッセージ中にマルチコール端末１０に表示可能な警告メッセージを含めて送出。
（５−２）通知用の特別メッセージを編集し送出。この方法はシングルコールの呼処理メッセージ又は新規な特別メッセージを想定している。
（５−３）ショートメッセージを編集して送出。
【０１４０】
次に、網の輻輳状態が緩和されたときにハンドオーバーを実行する態様について説明する。
この態様は、ハンドオーバー要求の受信とは無関係であって、交換局１２ｂは、網の輻輳状態が緩和されて現在通話している呼数以上の呼数の通話が可能になった場合には、通話中の全加入者の加入形態をチェックする。そして、交換局１２ｂは、各加入者について、契約加入最大呼数と現在通話中の呼数とを比較し、現在通話している呼数が契約最大呼数よりも少ない加入者を調べる。さらに、交換局１２ｂは、その加入者の現在の通話呼数と、交換局１２ｂが現在提供できる最大通話呼数とを比べて、通話呼数を増加可能な加入者を割り出すのである。
【０１４１】
そして、交換局１２ｂは、呼数を増加できる加入者に対して、通話呼数が可能である旨を次の（６−１）〜（６−３）のような方法を用いて通知する。
（６−１）特別な警告音で通知する。
（６−２）通知用の特別メッセージを編集し送出。この方法はシングルコールの呼処理メッセージ又は新規な特別メッセージを想定している。
【０１４２】
（６−３）ショートメッセージを編集して送出。
このように、呼選択手段１３３ａが、マルチコールできる加入者を選択するので、サービスが向上する。
また、このようにして、加入者主体による通話選択ができ、一加入者についての複数呼のプライオリティが管理されるので、マルチコールサービスを広く普及させることができる。
【０１４３】
（Ｅ１）上記の第５実施形態の第１変形例の説明
本変形例は、新規に加入者データ（図２１参照）内に、通話中に呼数を減少させる対象になったことを示すフラグ（Flag）を挿入する。すなわち、呼数通知ステップが、呼数を減少された呼に対応するマルチコール端末１０に対して再設定を通知するようになっている。この加入者データにより、交換局１２ｂは、加入者に関する情報を取得できるようになっている。
【０１４４】
このような構成によって、上述した各実施形態及びその変形例において通話中の呼数が変更された場合に、ＨＬＲ１３は加入者データに、通話中の呼減少を表すフラグをセットする。図２６は上記の第５実施形態の第１変形例に係る交換局１２ｂの処理を示すフローチャートであり、輻輳が解除された場合のものである。
まず、網の輻輳状態が緩和されるか、又は、ハンドオーバーが発生して第５実施形態にて説明したように、交換局１２ｂが通話可能な呼数を増加させられると判断した場合（ステップＨ１）、交換局１２ｂは、加入者データを確認する。ここで、交換局１２ｂは、ステップＨ２において、そのフラグをチェックして、フラグがオン（ON）になっている場合は、ＹＥＳルートを通り、ステップＨ３において、そのフラグがオンになっている加入者に対して、通話呼数増加が可能になったことを通知する。さらに、交換局１２ｂは、ステップＨ４において、その他の加入者についてのフラグをチェックし、オンになっている加入者がある間は、ＮＯルートを通り、その加入者に対してステップＨ２，Ｈ３の処理をする。そして、ステップＨ４において、全加入者に対しての処理が終了すると、ＹＥＳルートを通り、処理は終了する。
【０１４５】
なお、ステップＨ２において、フラグがオンになっている加入者がなければ、ＮＯルートを通り、ステップＨ４の処理が行なわれる。
このように、現在通話中の呼数よりも多くの呼を接続できるようになると、呼数減少の対象とされた加入者に対して、輻輳解除がビジュアル又はオーディブルに通知されるので、柔軟なハンドオーバーが可能となる。
【０１４６】
（Ｅ２）上記の第５実施形態の第２変形例の説明
呼数通知ステップが、ハンドオーバー発生と網の輻輳状態の変動とに起因する事象が発生したときの通話設定状態を維持したままでの通話切り換えができないことを通知するようにもできる。
例えば、伝送速度が３８４Ｋｂｐｓにてパケット通信が行なわれている場合に、６４Ｋｂｐｓしかサポートできなくなったような場合である。また、この場合の交換局１２ｂの処理動作は、図７に示した動作とほぼ同様である。
【０１４７】
そして、通話中の呼数について変更が必要になると、交換局１２ｂは、ハンドオーバーを実行する前に、次の（７−１），（７−２）のような方法で変更内容を加入者に対して通知する。すなわち、事象が発生した場合に、交換局１２ｂが、現在の通話状態を維持したままで、ハンドオーバーが不可能であることを加入者に通知する。
（７−１）通知用の特別メッセージを編集し送出。この方法はシングルコールの呼処理メッセージ又は新規な特別メッセージを想定している。
【０１４８】
（７−２）ショートメッセージを編集して送出。
上述のように構成された本変形例におけるハンドオーバーの発生にともなう交換機システムの動作について図２７に示すシーケンスを参照しながら詳述する。
図２７は上記の第５実施形態の第２変形例に係るハンドオーバーシーケンスを示す図である。まず、この図２７に示す基地局制御装置２０ｂがHandover RequiredメッセージＨ１０を送信し、交換局１２ｂは、このメッセージＨ１０を受信すると、Handover RequestメッセージＨ１１をハンドオーバー先の交換局１２ｃに送信する。
【０１４９】
そして、交換局１２ｂは、メッセージＨ１０の応答であるHandover Request ackメッセージＨ１２を受信すると、加入者データの確認処理を行ない（Ｈ１３と付したところ）、Ｈ１４と付した枠内に示すように、ハンドオーバーが行なわれる。
このように、パケット通信において、伝送速度が小さくなっても、加入者は、通話設定状態を維持したままでの通話切り換えができないことを通知されるので、不測の通信事故を回避できる。
【０１５０】
（Ｆ）その他
本発明は上述した実施態様及びその変形例に限定されるものではなく、本発明の趣旨を逸脱しない範囲で、種々変形して実施することができる。例えば、上述したフローチャートやシーケンスは、多少変更して実施することもある。
また、収容できるマルチコール端末の数については、設計方針によって、例えば、全呼数の７０％〜８０％にする等、種々変更して実施することができる。
【０１５１】
さらに、上記の網は、携帯電話網に限らず、ＧＳＭ（Global System for Mobile Communications）網等の他の網に対しても、適用することができる。
例えば、移動局１０は、警告音を鳴動するのみならず、バイブレータを用いたり、ディスプレイ以外のものを用いることもできる。
また、上記の呼の選択方法に関しては、プライオリティと接続順位とを組み合わせて選択するようにもできる。
【０１５２】
なお、図８の下方に示すハンドオーバー要求１は、Handover Requiredを表し、ハンドオーバー要求２はHandover Required ackによる応答を表す。
（Ｂ）付記
（付記１−１）  基地局側装置との間で複数の呼を同時に設定可能なマルチコール端末であって、上記複数の呼の増減に関する特別メッセージを該基地局側装置から受信して当該特別メッセージに含まれる呼数変更情報を抽出しうる受信手段と、該受信手段にて抽出された該呼数変更情報により、通話中の複数の呼を視覚的及び聴覚的に表示しうる表示手段と、該表示手段により表示された該複数の呼の中で加入者が接続希望呼を選択すべく設けられた入力手段と、該入力手段により選択された該接続希望呼に関する情報を該基地局側装置に対して送信しうる送信手段とをそなえたことを特徴とする、マルチコール端末。
【０１５３】
（付記１−２）  基地局側装置との間で複数の呼を同時に設定可能であって表示手段を有するマルチコール端末に用いられる回路であって、上記複数の呼の増減に関する特別メッセージを該基地局側装置から受信して当該特別メッセージに含まれる呼数変更情報を抽出する受信手段と、該受信手段にて抽出された該呼数変更情報により、通話中の複数の呼を視覚的及び聴覚的に該表示手段に表示させるための表示制御を行なう表示制御手段と、該表示制御手段の表示制御により該表示手段に表示された該複数の呼の中から選択された接続希望呼に関する情報が入力される入力手段と、該入力手段により入力された該接続希望呼に関する情報を該基地局側装置に対して送信する送信手段とをそなえたことを特徴とする、マルチコール端末用回路。
【０１５４】
（付記１−３）  表示手段を有するとともに、基地局側装置との間で複数の呼を同時に設定可能なマルチコール端末において、上記複数の呼の増減に関する特別メッセージを該基地局側装置から受信して当該特別メッセージに含まれる呼数変更情報を抽出し、抽出した該呼数変更情報により、通話中の複数の呼を視覚的及び聴覚的に該表示手段に表示し、該表示手段に表示された該複数の呼の中から選択された接続希望呼に関する情報が入力されると、当該接続希望呼に関する情報を該基地局側装置に対して送信することを特徴とする、マルチコール端末によるマルチコール通話呼数変更方法。
【０１５５】
（付記２−１）  複数の呼を同時に通話設定できる第１マルチコール端末からの発呼か、又は、一個の呼を通話設定できるシングルコール端末からの発呼かを判別する判別手段と、ハンドオーバー発生と網の輻輳状態の変動とに起因する事象を検出しうる事象検出手段と、該判別手段にて判別された該第１マルチコール端末が通話中に、該事象検出手段にて該事象が検出されると、該第１マルチコール端末の通話呼数を変更しうる呼数変更手段とをそなえて構成されたことを特徴とする、交換局装置。
【０１５６】
（付記２−２）  該呼数変更手段が、基地局を制御する基地局制御装置と該第１マルチコール端末とに対して該複数の呼の増加・減少に関する呼数変更情報を挿入した特別メッセージを通知しうる特別メッセージ通知手段と、該特別メッセージ通知手段により通知された該複数の呼の中で該第１マルチコール端末が選択した継続希望呼に関する応答を受信しうる応答受信手段と、該応答受信手段が受信した該継続希望呼を接続するとともに、該複数の呼のうち該第１マルチコール端末が選択しない接続非希望呼を切断する再ハンドオーバー手段とをそなえて構成されたことを特徴とする、付記２−１記載の交換局装置。
【０１５７】
（付記２−３）  該呼数変更手段が、通話中の複数の呼の中から切断する切断呼を所定の条件に基づいて選択する呼選択手段と、該呼選択手段が選択した該切断呼に対応する該第１マルチコール端末に対して切断メッセージを通知する切断通知手段と、該切断通知手段により通知された該第１マルチコール端末が選択した接続希望呼に関する応答を受信しうる応答受信手段と、該応答受信手段が受信した該接続希望呼を継続接続するとともに、該複数の呼のうち該第１マルチコール端末が選択しない接続非希望呼を切断する再ハンドオーバー手段とをそなえて構成されたことを特徴とする、付記２−１記載の交換局装置。
【０１５８】
（付記２−４）  該呼選択手段が、該切断呼のそれぞれに、通話中の呼の優先度を表すプライオリティを付与して該プライオリティを保持するプライオリティ保持手段と、該事象が緩和した場合は該プライオリティ保持手段に保持された該プライオリティに基づいて該切断呼を出力する出力手段とをそなえて構成されたことを特徴とする、付記２−３記載の交換局装置。
【０１５９】
（付記２−５）  該呼選択手段が、該切断呼を、該切断メッセージ内の所定領域に含まれる呼のプライオリティに関する情報に基づいて選択するように構成されたことを特徴とする、付記２−３記載の交換局装置。
（付記２−６）  該呼選択手段が、該切断呼を、ホーム・ロケーション・レジスタからビジター・ロケーション・レジスタに送信された加入者データに含まれる情報に基づいて選択するように構成されたことを特徴とする、付記２−３記載の交換局装置。
【０１６０】
（付記２−７）  該呼選択手段が、該切断呼を、加入者単位に設けられた選択アルゴリズムに基づいて選択するように構成されたことを特徴とする、付記２−３記載の交換局装置。
（付記２−８）  該呼選択手段が、該選択アルゴリズムとして、該通話中の複数の呼の中で接続した順序に従ったプライオリティによって継続するように構成されたことを特徴とする、付記２−７記載の交換局装置。
【０１６１】
（付記２−９）  該呼選択手段が、該選択アルゴリズムとして、伝送信号の等級を表す品質サービス値に基づいて、該呼を選択するように構成されたことを特徴とする、付記２−７記載の交換局装置。
（付記２−１０）  該特別メッセージ通知手段が、該第１マルチコール端末の警告音を段階的に変更すべく、該呼数変更情報を段階的に設けるように構成されたことを特徴とする、付記２−２記載の交換局装置。
【０１６２】
（付記２−１１）  周辺の基地局のそれぞれについて、同時に通話設定できる呼数を保持する保持手段と、少なくともハンドオーバーの発生を検出し該保持手段に保持された該呼数に基づいて、マルチコール対応が不可であることを検出しうる検出手段と、該検出手段が検出した該ハンドオーバーを発呼要求したマルチコール端末に対して、継続可能な複数の呼の数に関する特別メッセージを送信する通知手段と、該通知手段により通知された該複数の呼のうち該マルチコール端末が送信した接続希望呼を有する応答を受信しうる応答受信手段と、該応答受信手段が受信した該接続希望呼を交換局装置に対して送信する送信手段とをそなえて構成されたことを特徴とする、基地局制御装置。
【０１６３】
（付記２−１２）  複数の呼の増加・減少に関する特別メッセージを受信して呼数変更情報を抽出しうる受信手段と、該受信手段にて抽出された該呼数変更情報により、通話中の複数の呼を視覚的及び聴覚的に表示しうる表示手段と、該表示手段により表示された該複数の呼の中で加入者が接続希望呼を選択すべく設けられた入力手段と、該入力手段により選択された該接続希望呼に関する情報を該基地局に対して送信しうる送信手段とをそなえて構成されたことを特徴とする、マルチコール端末。
【０１６４】
（付記２−１３）  無線信号を送受信する第１マルチコール端末と、基地局を制御する基地局制御装置と、該第１マルチコール端末と該基地局制御装置とのそれぞれとの間で通話設定をすべく複数の呼に関する情報を送受信する交換局装置とをそなえた交換機システムにおけるマルチコール通話呼数変更方法であって、該交換局が、ハンドオーバー発生と網の輻輳状態の変動とに起因する事象を検出する事象検出ステップと、該事象検出ステップにて該事象が検出されると、該交換局が、ハンドオーバーにより接続される接続先交換局に対して該複数の呼の増加・減少に関する呼数変更情報を挿入して特別メッセージを通知する特別メッセージ通知ステップと、該特別メッセージ通知ステップにて通知された該複数の呼の中で該第１マルチコール端末が選択した継続希望呼に関する応答を該交換局が受信する応答受信ステップと、該応答受信ステップにて受信した該継続希望呼を該交換局が接続するとともに、該複数の呼のうち該第１マルチコール端末が選択しない接続非希望呼を切断する再ハンドオーバーステップとをそなえて構成されたことを特徴とする、マルチコール通話呼数変更方法。
【０１６５】
（付記２−１４）  該特別メッセージ通知ステップが、該第１マルチコール端末以外の第２マルチコール端末が送信した発信要求を受信すると、該第２マルチコール端末に対して、該特別メッセージに、該複数の呼の数を減少させる呼数減少情報を挿入するように構成されるとともに、該再ハンドオーバーステップが、該特別メッセージ通知ステップにおける切断により解放された回線を用いて、該発信要求に対して応答を送信するように構成されたことを特徴とする、付記２−１３記載のマルチコール通話呼数変更方法。
【０１６６】
（付記２−１５）  該特別メッセージ通知ステップが、該交換局がハンドオーバーにより接続される接続先基地局装置に関する情報を該基地局制御装置に対して通知する基地局制御装置通知ステップと、該基地局制御装置通知ステップにて通知された該接続先基地局装置から送信された継続可能な呼の数に関する呼変更情報を該交換局が受信する呼変更情報受信ステップと、該呼変更情報受信ステップが受信した該呼変更情報を該第１マルチコール端末に対して送信する送信ステップとをそなえて構成されたことを特徴とする、付記２−１３記載のマルチコール通話呼数変更方法。
【０１６７】
（付記２−１６）  無線信号を送受信する第１マルチコール端末と、基地局を制御する基地局制御装置と、該第１マルチコール端末と該基地局制御装置とのそれぞれとの間で通話設定をすべく複数の呼に関する情報を送受信する交換局装置とをそなえた交換機システムにおけるマルチコール通話呼数変更方法であって、該交換局装置がハンドオーバー要求を、ハンドオーバーにより接続される接続先交換局装置に対して送信する第１送信ステップと、該第１送信ステップにて送信された該接続先交換局装置が自分自身の能力と輻輳状態とに基づいた通話可能な呼数を含むメッセージを該交換局装置に対して送信する第２送信ステップと、該第２送信ステップにて送信された該通話可能な呼数が現在通話中の呼数よりも多いと、該交換局装置が該第１マルチコール端末に対して通話可能を示すメッセージを通知する呼数通知ステップとをそなえて構成されたことを特徴とする、マルチコール通話呼数変更方法。
【０１６８】
（付記２−１７）  該呼数通知ステップが、呼数を減少された該呼に対応する該第１マルチコール端末に対して再設定を通知するように構成されたことを特徴とする、付記２−１６記載のマルチコール通話呼数変更方法。
（付記２−１８）  該呼数通知ステップが、ハンドオーバー発生と網の輻輳状態の変動とに起因する事象が発生したときの通話設定状態を維持したままでの通話切り換えができないことを通知するように構成されたことを特徴とする、付記２−１６記載のマルチコール通話呼数変更方法。
【図面の簡単な説明】
【０１６９】
【図１】本発明の第１実施形態に係る移動体システムの構成図である。
【図２】本発明の第１実施形態に係る移動局の機能ブロック図である。
【図３】本発明の第１実施形態に係る移動局のディスプレイ表示の一例を示す図である。
【図４】本発明の第１実施形態に係る基地局制御装置の機能ブロック図である。
【図５】本発明の第１実施形態に係る交換局の機能ブロック図を示す図である。
【図６】本発明の第１実施形態に係る呼数変更手段の機能ブロック図である。
【図７】本発明の第１実施形態に係る交換局の処理を示すフローチャートである。
【図８】本発明の第１実施形態に係るハンドオーバーシーケンスを示す図である。
【図９】（ａ）は本発明の第１実施形態の第１変形例に係る呼数変更手段の機能ブロック図であり、（ｂ）は本発明の第４実施形態に係る呼数変更手段の機能ブロック図である。
【図１０】シングルコール時の交換局の処理を示すフローチャートである。
【図１１】本発明の第１実施形態の第１変形例に係る交換局の処理を示すフローチャートである。
【図１２】本発明の第１実施形態の第１変形例に係るハンドオーバーシーケンスを示す図である。
【図１３】本発明の第２実施形態に係るハンドオーバー元の基地局制御装置の処理を示すフローチャートである。
【図１４】本発明の第２実施形態に係るハンドオーバー先の基地局制御装置の処理を示すフローチャートである。
【図１５】本発明の第２実施形態に係るハンドオーバーシーケンスを示す図である。
【図１６】本発明の第３実施形態に係る交換局の処理を示すフローチャートである。
【図１７】本発明の第３実施形態に係るハンドオーバーシーケンスを示す図である。
【図１８】本発明の第４実施形態に係るメッセージイメージを示す図である。
【図１９】本発明の第４実施形態に係る交換局の処理を示すフローチャートである。
【図２０】本発明の第４実施形態に係るハンドオーバーシーケンスを示す図である。
【図２１】本発明の第４実施形態の第１変形例に係る加入者データのイメージを示す図である。
【図２２】本発明の第４実施形態の第１変形例に係る交換局の処理を示すフローチャートである。
【図２３】本発明の第４実施形態の第２変形例に係る交換局の処理を示すフローチャートである。
【図２４】本発明の第５実施形態に係るハンドオーバー元の交換局の処理を示すフローチャートである。
【図２５】本発明の第５実施形態に係るハンドオーバーシーケンスを示す図である。
【図２６】本発明の第５実施形態の第１変形例に係る交換局の処理を示すフローチャートである。
【図２７】本発明の第５実施形態の第２変形例に係るハンドオーバーシーケンスを示す図である。
【図２８】移動体システムの構成図である。
【図２９】キャッチホンの接続シーケンス例を示す図である。
【図３０】マルチセッションの接続シーケンス例を示す図である。
【符号の説明】
【０１７０】
９，９９    移動体システム
１０    移動局、第１マルチコール端末
１０ａ    第２マルチコール端末
１１ａ〜１１ｃ，１０１ａ，１０１ｂ    基地局
１０ａ    受信手段
１０ｂ    表示手段
１０ｃ    入力手段
１０ｄ    送信手段
１２ａ〜１２ｃ，１０２ａ，１０２ｂ    交換局
１３，１０３    ホーム・ロケーション・レジスタ
１５    ディスプレイ
１６    メッセージイメージ
１７    プライオリティ領域
１７ａ    相対プライオリティ領域
１７ｂ    接続プライオリティ領域
１８    加入者データ
１９    情報領域
１９ａ    アルゴリズム種別領域
１９ｂ    登録手段選択領域
２０ａ〜２０ｃ    基地局制御装置
２０ｅ    保持手段
２０ｆ    検出手段
２０ｇ    通知手段
２０ｈ    応答受信手段
２０ｉ    送信手段
３０    判別手段
３１    事象検出手段
３２，３３    呼数変更手段
３２ａ    特別メッセージ通知手段
３２ｂ    応答受信手段
３２ｃ    再ハンドオーバー手段
３３ａ，１３３ａ    呼選択手段
３３ｂ    プライオリティ保持手段
３３ｃ    出力手段
３３ｆ    切断通知手段
３３ｇ    応答受信手段
３３ｈ    再ハンドオーバー手段
１００    移動局
１０４ａ    公衆回線
１０４ｂ    インターネット網
１０５    固定端末
１０６ａ〜１０６ｃ    ビジター・ロケーション・レジスタ
１０７ａ〜１０７ｃ    パケット処理装置
１０８    関門交換局
１０９    関門パケット処理装置
１３３ｂ    アルゴリズム保持手段
１３３ｃ    ＱＯＳ保持手段
１３３ｄ    呼順序保持手段
【図１】
2005328573.tif 000003
【図２】
2005328573.tif 000004
【図３】
2005328573.tif 000005
【図４】
2005328573.tif 000006
【図５】
2005328573.tif 000007
【図６】
2005328573.tif 000008
【図７】
2005328573.tif 000009
【図８】
2005328573.tif 000010
【図９】
2005328573.tif 000011
【図１０】
2005328573.tif 000012
【図１１】
2005328573.tif 000013
【図１２】
2005328573.tif 000014
【図１３】
2005328573.tif 000015
【図１４】
2005328573.tif 000016
【図１５】
2005328573.tif 000017
【図１６】
2005328573.tif 000018
【図１７】
2005328573.tif 000019
【図１８】
2005328573.tif 000020
【図１９】
2005328573.tif 000021
【図２０】
2005328573.tif 000022
【図２１】
2005328573.tif 000023
【図２２】
2005328573.tif 000024
【図２３】
2005328573.tif 000025
【図２４】
2005328573.tif 000026
【図２５】
2005328573.tif 000027
【図２６】
2005328573.tif 000028
【図２７】
2005328573.tif 000029
【図２８】
2005328573.tif 000030
【図２９】
2005328573.tif 000031
【図３０】
2005328573.tif 000032